(57)【要約】  本願発明は、端末機器の状態を確定する方法および装置を提供する。当該方法は、端末機器が送信対象データのデータ量を確定するステップと、当該端末機器が当該送信対象データのデータ量に基づき、当該端末機器に必要とされる状態を確定するステップとを含む。本願発明により、端末機器は不要な状態の切り替えを避け、シグナリングオーバーヘッドを低減し、端末機器の電力消費を削減して、システムの効率を向上させることができる。
2019532529.tif 000002
【特許請求の範囲】
【請求項１】
端末機器の状態を確定する方法であって、
端末機器が送信対象データのデータ量を確定するステップと、
前記端末機器が前記送信対象データのデータ量に基づき、前記端末機器に必要とされる状態を確定するステップと
を含むことを特徴とする端末機器の状態を確定する方法。
【請求項２】
第１の状態において、前記端末機器は第１のアクセスネットワーク機器と接続することを保持し、前記端末機器および前記第１のアクセスネットワーク機器は前記端末機器のコンテキスト情報を保存し、前記端末機器は前記第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、前記端末機器の属するアクセスネットワーク機器により、前記端末機器がアクセスネットワーク機器の切り替えを行うよう制御することを特徴とする請求項１に記載の方法。
【請求項３】
前記端末機器が前記送信対象データのデータ量に基づき、前記端末機器に必要とされる状態を確定する前に、前記方法はさらに、
前記端末機器が第１の状態における利用可能な上りリンク伝送リソースを確定するステップを含み、
前記端末機器が前記送信対象データのデータ量に基づき、前記端末機器に必要とされる状態を確定する前記ステップは、
前記端末機器が前記送信対象データのデータ量および前記利用可能な上りリンク伝送リソースに基づき、前記端末機器に必要とされる状態を確定することを含む、
ことを特徴とする請求項１または請求項２に記載の方法。
【請求項４】
前記端末機器が前記送信対象データのデータ量および前記利用可能な上りリンク伝送リソースに基づき、前記端末機器に必要とされる状態を確定するステップは、
前記端末機器が前記利用可能な上りリンク伝送リソースに基づき、１回で伝送可能なデータ量を確定することと、
前記１回で伝送可能なデータ量が前記送信対象データのデータ量より小さい場合に、前記端末機器は、前記端末機器に前記第２の状態が必要とされることを確定することと、
を含むことを特徴とする請求項３に記載の方法。
【請求項５】
前記端末機器が前記送信対象データのデータ量および前記利用可能な上りリンク伝送リソースに基づき、前記端末機器に必要とされる状態を確定するステップは、
前記端末機器が前記利用可能な上りリンク伝送リソースに基づき、１回で伝送可能なデータ量を確定することと、
前記端末機器が前記１回で伝送可能なデータ量に基づき、前記送信対象データのデータ量の送信時間および／または送信回数を確定することと、
前記送信時間が第１の閾値より大きく、および／または前記送信回数が第２の閾値より大きい場合に、前記端末機器は、前記端末機器に前記第２の状態が必要とされることを確定することと
を含むことを特徴とする請求項３に記載の方法。
【請求項６】
前記端末機器が前記利用可能な上りリンク伝送リソースに基づき、１回で伝送可能なデータ量を確定することは、
前記端末機器が前記利用可能な上りリンク伝送リソースおよび利用可能な最大送信出力、現時点の伝送損失、利用可能な最高の符号化変調レベルのうちの少なくとも一つに基づき、前記１回で伝送可能なデータ量を確定すること、
を含むことを特徴とする請求項４または請求項５に記載の方法。
【請求項７】
前記端末機器が前記第１の状態における利用可能な上りリンク伝送リソースを確定する前に、前記方法はさらに、
前記端末機器が、前記第１のアクセスネットワーク機器に対して前記端末機器に上りリンク伝送リソースを割り当てることを要求するためのリソース要求メッセージを前記第１のアクセスネットワーク機器に送信するステップ
を含み、
前記端末機器が前記第１の状態における利用可能な上りリンク伝送リソースを確定することは、
前記端末機器が前記第１のアクセスネットワーク機器による割り当てに基づき、前記利用可能な上りリンク伝送リソースを確定すること
を含むことを特徴とする請求項３〜６のいずれか１項に記載の方法。
【請求項８】
前記端末機器が前記送信対象データのデータ量に基づき、前記端末機器に必要とされる状態を確定する前記ステップは、
前記送信対象データのデータ量が第３の閾値より大きい場合に、前記端末機器は、前記端末機器に前記第２の状態が必要とされることを確定すること
を含むことを特徴とする請求項１または２に記載の方法。
【請求項９】
前記端末機器が前記端末機器に前記第２の状態が必要とされることを確定することは、
第１の時間帯内の各時点での前記送信対象データのデータ量が持続的に前記第３の閾値より大きい場合に、前記端末機器が前記端末機器に前記第２の状態が必要とされることを確定すること
を含むことを特徴とする請求項８に記載の方法。
【請求項１０】
前記端末機器が前記送信対象データのデータ量に基づき、前記端末機器に必要とされる状態を確定する前記ステップは、
前記送信対象データのデータ量が第４の閾値より小さい場合に、前記端末機器が前記端末機器に前記第１の状態が必要とされることを確定すること
を含むことを特徴とする請求項１または２に記載の方法。
【請求項１１】
前記端末機器が前記端末機器に前記第１の状態が必要とされることを確定することは、
第２の時間帯内の各時点での前記送信対象データのデータ量が持続的に前記第４の閾値より小さい場合に、前記端末機器が前記端末機器に前記第１の状態が必要とされることを確定すること
を含むことを特徴とする請求項１０に記載の方法。
【請求項１２】
前記端末機器が前記送信対象データのデータ量に基づき、前記端末機器に必要とされる状態を確定した後に、前記方法はさらに、
前記端末機器の現時点の状態が前記端末機器に必要とされる状態と異なる場合に、前記端末機器が状態の切り替えを行うことを確定するステップ
を含むことを特徴とする請求項１〜１１のいずれか１項に記載の方法。
【請求項１３】
前記端末機器が状態の切り替えを行うことを確定した後に、前記方法はさらに、
前記端末機器が、前記第１のアクセスネットワーク機器に前記端末機器の前記状態の切り替えに関する設定を行うことを要求する切り替え要求メッセージを前記第１のアクセスネットワーク機器に送信するステップと、
前記端末機器が、前記第１のアクセスネットワーク機器が前記切り替え要求メッセージに基づき送信した、前記第１のアクセスネットワーク機器が前記状態の切り替えに関する設定を完了することを表す設定完了メッセージを受信するステップと、
前記端末機器が前記設定完了メッセージに基づき、前記状態の切り替えを行うステップと
を含むことを特徴とする請求項１２に記載の方法。
【請求項１４】
前記送信対象データは、前記端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータであることを特徴とする請求項１〜１３のいずれか１項に記載の方法。
【請求項１５】
端末機器の状態を確定する装置であって、
端末機器が送信対象データのデータ量を確定し、さらに、前記送信対象データのデータ量に基づき、前記端末機器に必要とされる状態を確定するための確定ユニットを含むことを特徴とする端末機器の状態を確定する装置。
【請求項１６】
第１の状態において、前記端末機器は第１のアクセスネットワーク機器と接続することを保持し、前記端末機器および前記第１のアクセスネットワーク機器は前記端末機器のコンテキスト情報を保存し、前記端末機器は前記第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、前記端末機器の属するアクセスネットワーク機器により、前記端末機器がアクセスネットワーク機器の切り替えを行うよう制御することを特徴とする請求項１５に記載の装置。
【請求項１７】
前記確定ユニットはさらに、
前記送信対象データのデータ量に基づき、前記端末機器に必要とされる状態を確定する前に、第１の状態における利用可能な上りリンク伝送リソースを確定し、
前記送信対象データのデータ量および前記利用可能な上りリンク伝送リソースに基づき、前記端末機器に必要とされる状態を確定する
ことに用いられることを特徴とする請求項１５または１６に記載の装置。
【請求項１８】
前記確定ユニットはさらに、
前記利用可能な上りリンク伝送リソースに基づき、１回で伝送可能なデータ量を確定し、
前記１回で伝送可能なデータ量が前記送信対象データのデータ量より小さい場合に、前記端末機器に前記第２の状態が必要とされることを確定する
ことに用いられることを特徴とする請求項１７に記載の装置。
【請求項１９】
前記確定ユニットはさらに、
前記端末機器が前記利用可能な上りリンク伝送リソースに基づき、１回で伝送可能なデータ量を確定し、
前記端末機器が前記１回で伝送可能なデータ量に基づき、前記送信対象データのデータ量の送信時間および／または送信回数を確定し、
前記送信時間が第１の閾値より大きく、および／または前記送信回数が第２の閾値より大きい場合に、前記端末機器に前記第２の状態が必要とされることを確定する
ことに用いられることを特徴とする請求項１７に記載の装置。
【請求項２０】
前記確定ユニットはさらに、
前記利用可能な上りリンク伝送リソースおよび利用可能な最大送信出力、現時点の伝送損失、利用可能な最高の符号化変調レベルのうちの少なくとも一つに基づき、前記１回で伝送可能なデータ量を確定する
ことに用いられることを特徴とする請求項１８または１９に記載の装置。
【請求項２１】
前記端末機器はさらに、
前記第１の状態における利用可能な上りリンク伝送リソースを確定する前に、前記第１のアクセスネットワーク機器に対して前記端末機器に上りリンク伝送リソースを割り当てることを要求するためのリソース要求メッセージを前記第１のアクセスネットワーク機器に送信するための第１の送信ユニット
を含み、
前記確定ユニットはさらに、
前記第１のアクセスネットワーク機器による割り当てに基づき、前記利用可能な上りリンク伝送リソースを確定するに用いられる
ことを特徴とする請求項１７〜２０のいずれか１項に記載の装置。
【請求項２２】
前記確定ユニットはさらに、
前記送信対象データのデータ量が第３の閾値より大きい場合に、前記端末機器に第２の状態が必要とされることを確定するに用いられる
ことを特徴とする請求項１５または１６に記載の装置。
【請求項２３】
前記確定ユニットはさらに、
第１の時間帯内の各時点での前記送信対象データのデータ量が持続的に前記第３の閾値より大きい場合に、前記端末機器に前記第２の状態が必要とされることを確定するに用いられる
ことを特徴とする端末機器の状態を確定する請求項２２に記載の装置。
【請求項２４】
前記確定ユニットはさらに、
前記送信対象データのデータ量が第４の閾値より小さい場合に、前記端末機器に第１の状態が必要とされることを確定するに用いられる
ことを特徴とする請求項１５または１６に記載の装置。
【請求項２５】
前記確定ユニットはさらに、
第２の時間帯内の各時点での前記送信対象データのデータ量が持続的に前記第４の閾値より小さい場合に、前記端末機器に前記第１の状態が必要とされることを確定するに用いられる
ことを特徴とする請求項２４に記載の装置。
【請求項２６】
前記確定ユニットはさらに、
前記送信対象データのデータ量に基づき、前記端末機器に必要とされる状態を確定した後に、前記端末機器の現時点の状態が前記端末機器に必要とされる状態と異なる場合に、状態の切り替えを行うことを確定するに用いられる
ことを特徴とする請求項１５〜２５のいずれか１項に記載の装置。
【請求項２７】
前記端末機器はさらに、
前記端末機器が状態の切り替えを行うことを確定した後に、前記第１のアクセスネットワーク機器に前記端末機器の前記状態の切り替えに関する設定を行うことを要求する切り替え要求メッセージを前記第１のアクセスネットワーク機器に送信するための第２の送信ユニットと、
前記第１のアクセスネットワーク機器が前記切り替え要求メッセージに基づき送信した、前記第１のアクセスネットワーク機器が前記状態の切り替えに関する設定を完了することを表す設定完了メッセージを受信するための受信ユニットと、
前記設定完了メッセージに基づき、前記状態の切り替えを行うための切り替えユニットと
を含むことを特徴とする請求項２６に記載の装置。
【請求項２８】
前記送信対象データは、前記端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータであることを特徴とする請求項１５〜２７のいずれか１項に記載の装置。
【発明の詳細な説明】
【技術分野】
【０００１】
本願発明は、通信分野に関し、詳しく言えば、端末機器の状態を確定する方法および装置に関する。
【背景技術】
【０００２】
無線通信システムにおいて、端末機器にはアイドルモード（いわゆる待機状態）と接続モードの２つの基本的な動作モードがある。接続モードにおいて、端末機器は、無線リソース制御（Ｒａｄｉｏ  Ｒｅｓｏｕｒｃｅ  Ｃｏｎｔｒｏｌ、略称ＲＲＣ）によって進化型ユニバーサル地上無線アクセスネットワーク（Ｔｅｒｒｅｓｔｒｉａｌ  Ｒａｄｉｏ  Ａｃｃｅｓｓ  Ｎｅｔｗｏｒｋ、略称ＵＴＲＡＮ）に接続される。
【０００３】
動作モードがアイドルモードである端末機器は、データを受信または送信する必要がある時に、上位のシグナリング接続を確立する接続モードに切り替えてデータの伝送を行う。したがって、端末機器がデータの伝送を行う時の状態は、端末機器の電力消費およびシステムの性能に影響を与え、不要な状態の切り替えにより端末機器のシグナリングオーバーヘッドおよび電力消費を増加させる恐れがある。
【発明の概要】
【発明が解決しようとする課題】
【０００４】
本願発明は、シグナリングオーバーヘッドを低減し、端末機器の電力消費を削減して、システムの効率を向上させるために、端末機器の状態を確定する方法および装置を提供する。
【課題を解決するための手段】
【０００５】
本願発明の第１の態様として、端末機器の状態を確定する方法を提供する。前記方法は、端末機器が送信対象データのデータ量を確定するステップと、当該端末機器が当該送信対象データのデータ量に基づき、当該端末機器に必要とされる状態を確定するステップとを含む。
【０００６】
具体的には、端末機器が第１のアクセスネットワーク機器にデータを送信する必要がある時に、当該端末機器は送信対象データのデータ量を確定し、当該送信対象データのデータ量に基づき、当該端末機器に必要とされる状態を確定する。
【０００７】
したがって、本願発明は、端末機器が送信対象データのデータ量に基づき、必要とされる状態を確定して、当該端末機器に必要とされる状態においてデータの伝送を行うことにより、不要な切り替えプロセスを避け、シグナリングオーバーヘッドを低減し、端末機器の電力消費を削減して、システムの効率を向上させることができる。
【０００８】
好ましくは、第１の状態において、当該端末機器が第１のアクセスネットワーク機器と接続することを保持し、当該端末機器および当該第１のアクセスネットワーク機器が当該端末機器のコンテキスト情報を保存し、当該端末機器が当該第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、当該端末機器の属するアクセスネットワーク機器により、当該端末機器がアクセスネットワーク機器の切り替えを行うよう制御する。
【０００９】
なお、当該第１の状態において、当該端末機器がアクセスネットワーク機器の切り替えを行わないため、当該アクセスネットワーク機器セットにおける全てのアクセスネットワーク機器およびコアネットワーク機器は当該端末機器の移動を検出することができず、すなわち当該端末機器の移動性ネットワーク側を知ることができず、当該第２の状態において、端末機器が１つのセルから別のセルに移動する時に、当該端末機器の属するアクセスネットワーク機器により端末機器がアクセスネットワーク機器の切り替えを行うよう制御することにより、アクセスネットワーク機器は、当該端末機器が異なるアクセスネットワーク機器がカバーする範囲の間に移動することを検出することができる。
【００１０】
また、本願発明において、第１の状態および第２の状態は、前記「非アクティブ状態」および「アクティブ状態」、またはアイドル状態、データ接続状態およびこれから登場する通信システムにあり得るその他の状態とすることができ、本願発明はこれについて限定しない。
【００１１】
本願発明の第１の態様の第１種の可能な実施形態において、当該端末機器が当該送信対象データのデータ量に基づき、当該端末機器に必要とされる状態を確定する前に、当該方法はさらに、当該端末機器が第１の状態における利用可能な上りリンク伝送リソースを確定するステップを含み、当該端末機器が当該送信対象データのデータ量に基づき、当該端末機器に必要とされる状態を確定する前記ステップは、当該端末機器が当該送信対象データのデータ量および当該利用可能な上りリンク伝送リソースに基づき、当該端末機器に必要とされる状態を確定することを含む。
【００１２】
具体的には、当該端末機器が送信対象データのデータ量および利用可能な上りリンク伝送リソースを確定し、送信対象データのデータ量および当該利用可能な上りリンク伝送リソースを総合的に考慮して、当該端末機器に必要とされる状態を確定する。
【００１３】
したがって、第１の状態にある端末機器にとって、利用可能な上りリンク伝送リソースが送信対象データを伝送するために十分である場合に、当該端末機器は、第１の状態を引き続き保持することができ、第２の状態にある端末機器にとって、第１の状態における利用可能な上りリンク伝送リソースが送信対象データを伝送するために不十分である場合に、当該端末機器は第２の状態を保持することにより、不要な状態の切り替えを避け、切り替えに伴うシグナリングオーバーヘッドを低減することができる。
【００１４】
本願発明の第１の態様における前記可能な実施形態に基づく、第１の態様の第２種の可能な実施形態において、当該端末機器が当該送信対象データのデータ量および当該利用可能な上りリンク伝送リソースに基づき、当該端末機器に必要とされる状態を確定するステップは、当該端末機器が当該利用可能な上りリンク伝送リソースに基づき、１回で伝送可能なデータ量を確定することと、当該１回で伝送可能なデータ量が当該送信対象データのデータ量より小さい場合に、当該端末機器は、当該端末機器に当該第２の状態が必要とされることを確定することとを含む。
【００１５】
具体的には、当該端末機器が当該利用可能な上りリンク伝送リソースに基づき、当該端末機器が１回で伝送可能なデータ量を確定し、当該１回で伝送可能なデータ量と送信対象データのデータ量を比較する。当該１回で伝送可能なデータ量が当該送信対象データのデータ量より小さい場合に、当該利用可能な上りリンク伝送リソースは、これらの送信対象データを１回でベアラできないため、当該端末機器は、前記送信対象データの送信を１回で完了するために、第２の状態が必要とされることを確定する。
【００１６】
本願発明の第１の態様またはその任意の前記可能な実施形態に基づく、第１の態様の第３種の可能な実施形態において、当該端末機器が当該送信対象データのデータ量および当該利用可能な上りリンク伝送リソースに基づき、当該端末機器に必要とされる状態を確定するステップは、当該端末機器が当該利用可能な上りリンク伝送リソースに基づき、１回で伝送可能なデータ量を確定することと、当該端末機器が当該１回で伝送可能なデータ量に基づき、当該送信対象データのデータ量の送信時間および／または送信回数を確定することと、当該送信時間が第１の閾値より大きく、および／または当該送信回数が第２の閾値より大きい場合に、当該端末機器は、当該端末機器に当該第２の状態が必要とされることを確定することとを含む。
【００１７】
これにより、端末機器により送信対象データを伝送する送信時間および／または送信回数を算出し、当該送信時間および／または送信回数に基づき、当該端末機器に必要とされる状態を確定することにより、送信対象データのデータ量が非常に大きいか、または利用可能な伝送リソースが非常に少ない場合に、第１の状態における送信時間が非常に長いか、または送信回数が非常に多いことを避けることにより、端末機器の電力消費を削減するとともに、ユーザ体験を向上させることができる。
【００１８】
好ましくは、当該方法がさらに、当該送信時間が当該第１の閾値以下であり、および／または当該送信回数が当該第２の閾値以下である場合に、当該端末機器が当該第１の状態が必要とされることを確定するステップを含む。
【００１９】
本願発明の第１の態様またはその任意の前記可能な実施形態に基づく、本願発明の第１の態様の第４種の実施形態において、当該端末機器が当該利用可能な上りリンク伝送リソースに基づき、１回で伝送可能なデータ量を確定することは、当該端末機器が当該利用可能な上りリンク伝送リソースおよび利用可能な最大送信出力、現時点の伝送損失、利用可能な最高の符号化変調レベルのうちの少なくとも一つに基づき、当該１回で伝送可能なデータ量を確定することを含む。
【００２０】
本願発明の第１の態様またはその任意の前記可能な実施形態に基づく、本願発明の第１の態様の第５種の実施形態において、当該端末機器が当該第１の状態における利用可能な上りリンク伝送リソースを確定する前に、当該方法はさらに、当該端末機器が、当該第１のアクセスネットワーク機器に当該端末機器に上りリンク伝送リソースを割り当てることを要求するためのリソース要求メッセージを当該第１のアクセスネットワーク機器に送信するステップを含み、当該端末機器が当該第１の状態における利用可能な上りリンク伝送リソースを確定することは、当該端末機器が当該第１のアクセスネットワーク機器による割り当てに基づき、当該利用可能な上りリンク伝送リソースを確定することを含む。
【００２１】
具体的には、第１のアクセスネットワーク機器が第１の状態において当該端末機器のために上りリンク伝送リソースを保留しない場合に、当該端末機器は、当該第１のアクセスネットワーク機器に当該端末機器に上りリンク伝送リソースを割り当てることを要求するためのリソース要求メッセージを当該第１のアクセスネットワーク機器に送信し、当該第１のアクセスネットワーク機器が当該リソース要求メッセージに基づき、当該端末機器に利用可能な上りリンク伝送リソースを割り当てると、当該端末機器は、当該利用可能な上りリンク伝送リソースを利用してデータを伝送することができる。
【００２２】
本願発明の第１の態様またはその任意の前記可能な実施形態に基づく、本願発明の第１の態様の第６種の実施形態において、当該端末機器が当該送信対象データのデータ量に基づき、当該端末機器に必要とされる状態を確定する前記ステップは、当該送信対象データのデータ量が第３の閾値より大きい場合に、当該端末機器は、当該端末機器に当該第２の状態が必要とされることを確定することを含む。
【００２３】
具体的には、当該端末機器が当該送信対象データのデータ量と予め設定された第３の閾値を比較し、送信対象データのデータ量が当該第３の閾値より大きい場合に、当該端末機器に第２の状態が必要とされることを確定することにより、前記送信対象データのデータ量でのデータ伝送を完了することを保証する。
【００２４】
本願発明の第１の態様またはその任意の前記可能な実施形態に基づく、本願発明の第１の態様の第７種の実施形態において、当該端末機器が当該端末機器に当該第２の状態が必要とされることを確定することは、第１の時間帯内の各時点での当該送信対象データのデータ量が持続的に当該第３の閾値より大きい場合に、当該端末機器が当該端末機器に当該第２の状態が必要とされることを確定することを含む。
【００２５】
これにより、端末機器により第１の時間帯内において送信対象データのデータ量を検出し、当該第１の時間帯における送信対象データ量について持続的に判断して、当該端末機器に必要とされる状態を確定することにより、送信対象データのデータ量が安定しないため状態の切り替えを繰り返すことを避け、シグナリングオーバーヘッドを低減することができる。
【００２６】
本願発明の第１の態様またはその任意の前記可能な実施形態に基づく、本願発明の第１の態様の第８種の実施形態において、当該端末機器が当該送信対象データのデータ量に基づき、当該端末機器に必要とされる状態を確定する前記ステップは、当該送信対象データのデータ量が第４の閾値より小さい場合に、当該端末機器が当該端末機器に当該第１の状態が必要とされることを確定することを含む。
【００２７】
具体的には、当該端末機器が送信対象データのデータ量が第４の閾値より小さい場合に、当該端末機器に第１の状態が必要とされることを確定する。これにより、端末機器が大量のデータを送信しない時に第１の状態にあることを保証し、関連するシグナリングオーバーヘッドを低減することができる。
【００２８】
好ましくは、当該第４の閾値が前記第３の閾値に等しい。
【００２９】
本願発明の第１の態様またはその任意の前記可能な実施形態に基づく、本願発明の第１の態様の第９種の実施形態において、当該端末機器が当該端末機器に当該第１の状態が必要とされることを確定することは、第２の時間帯内の各時点での当該送信対象データのデータ量が持続的に当該第４の閾値より小さい場合に、当該端末機器が当該端末機器に当該第１の状態が必要とされることを確定することを含む。
【００３０】
これにより、端末機器により第２の時間帯内に送信対象データのデータ量を検出し、当該第２の時間帯における送信対象データ量について持続的に判断し、当該端末機器に必要とされる状態を確定することにより、送信対象データのデータ量が安定しないため状態の切り替えを繰り返すことを避け、シグナリングオーバーヘッドを低減することができる。
【００３１】
本願発明の第１の態様またはその任意の前記可能な実施形態に基づく、本願発明の第１の態様の第１０種の実施形態において、当該端末機器が当該送信対象データのデータ量に基づき、当該端末機器に必要とされる状態を確定した後に、当該方法はさらに、当該端末機器の現時点の状態が当該端末機器に必要とされる状態と異なる場合に、当該端末機器が状態の切り替えを行うことを確定するステップを含む。
【００３２】
具体的には、当該端末機器が現時点で第１の状態または第２の状態にあり、当該端末機器が送信対象データのデータ量に基づき確定した当該端末機器に必要とされる状態が当該端末機器の現時点の状態と異なる場合に、当該端末機器が状態の切り替えを行い、すなわち現時点の状態から第１の状態または第２の状態に切り替えることを確定する。
【００３３】
本願発明の第１の態様またはその任意の前記可能な実施形態に基づく、本願発明の第１の態様の第１１種の実施形態において、当該端末機器が状態の切り替えを行うことを確定した後に、当該方法はさらに、当該端末機器が、当該第１のアクセスネットワーク機器に当該端末機器の当該状態の切り替えに関する設定を行うことを要求する切り替え要求メッセージを当該第１のアクセスネットワーク機器に送信するステップと、当該端末機器が、当該第１のアクセスネットワーク機器が当該切り替え要求メッセージに基づき送信する、当該第１のアクセスネットワーク機器が当該状態の切り替えに関する設定を完了することを表す設定完了メッセージを受信するステップと、当該端末機器が当該設定完了メッセージに基づき、当該状態の切り替えを行うステップとを含む。
【００３４】
具体的には、当該端末機器が状態の切り替えを行うことと確定した後に、第１のアクセスネットワーク機器に切り替え要求メッセージを送信して、第１のアクセスネットワーク機器に状態の切り替えに関する設定を行うことを要求し、当該第１のアクセスネットワーク機器が当該端末機器の状態の切り替えに関する設定を完了した後に、当該端末機器に設定完了メッセージを送信し、当該端末機器が当該第１のアクセスネットワーク機器が送信する設定完了メッセージを受信して状態の切り替えを行い、すなわち第１の状態から第２の状態に切り替えるか、または第２の状態から第１の状態に切り替える。
【００３５】
好ましくは、当該切り替え要求メッセージに当該送信対象データのデータ量が前記第１の閾値より大きいかもしくは前記第４の閾値より小さいイベントが付随されるか、または当該切り替え要求メッセージに当該送信時間が前記第２の閾値より大きいイベントが付随されるか、または当該切り替え要求メッセージに当該送信回数が前記第３の閾値より大きいイベントが付随される。
【００３６】
本願発明の第１の態様またはその任意の前記可能な実施形態に基づく、本願発明の第１の態様の第１２種の実施形態において、当該送信対象データは、当該端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータである。
【００３７】
なお、前記端末機器と第１のアクセスネットワーク機器との間に交換されるメッセージはいずれも無線リソース制御（Ｒａｄｉｏ  Ｒｅｓｏｕｒｃｅ  Ｃｏｎｔｒｏｌ、略称ＲＲＣ）メッセージ、ＭＡＣメッセージ、または物理層メッセージとすることができ、本願発明はこれについて限定しない。
【００３８】
本願発明の第２の態様として、本願発明の第１の態様またはその任意の可能な前記実施形態による方法を実行するための、端末機器の状態を確定する装置を提供する。具体的には、当該装置が前記第１の態様またはその任意の前記可能な実施形態による方法を実行するためのユニットを含む。
【００３９】
本願発明の第３の態様として、受信機と、送信機と、メモリと、プロセッサと、バスシステムとを含む、端末機器の状態を確定する装置を提供する。当該受信機、当該送信機、当該メモリおよび当該プロセッサは当該バスシステムによって接続され、当該メモリはコマンドを記憶し、当該プロセッサは当該メモリに記憶されるコマンドを実行することにより、受信機が信号を受信するよう制御し且つ送信機が信号を送信するよう制御し、且つ、当該プロセッサが当該メモリに記憶されるコマンドを実行する時に、当該実行により、当該プロセッサは本願発明の第１の態様またはその任意の前記可能な実施形態による方法を実行する。
【００４０】
本願発明の第４の態様として、本願発明の第２の態様もしくはその任意の前記可能な実施形態による装置と、アクセスネットワーク機器とを含むか、または本願発明の第３の態様もしくはその任意の前記可能な実施形態による装置と、アクセスネットワーク機器とを含む、端末機器の状態を確定するシステムを提供する。
【００４１】
本願発明の第５の態様として、本願発明の第１の態様またはその任意の前記可能な実施形態による方法を実行するためのコマンドを含むコンピュータプログラムを記憶するための、コンピュータ読み取り可能な媒体を提供する。
【図面の簡単な説明】
【００４２】
本願の実施例に係る発明を明瞭に説明するために、本項では、実施例または従来技術において用いる図面を簡単に説明する。当然ながら、以下の説明に係る図面は、本願発明の一部の実施例に過ぎず、当業者であれば、創造的な作業を行うことなく、これらの図面からその他の図面を得ることもできる。
【図１】本願発明の実施例における一つの応用場面の概略図である。
【図２】本願発明の実施例による端末機器の状態を確定する方法を示すフローチャートである。
【図３】本願発明の実施例による端末機器の状態を確定する装置を示すブロック図である。
【図４】本願発明の実施例による端末機器の状態を確定するシステムを示すブロック図である。
【図５】本願発明の実施例による端末機器の状態を確定する装置の構造を示す概略図である。
【発明を実施するための形態】
【００４３】
本項では、本願発明の実施例における図面を参照しながら、実施例による発明を明瞭でかつ完全に説明する。当然ながら、説明される実施例は、本願発明の全ての実施例ではなく、その一部に過ぎない。当業者がこれらの実施例に基づき、創造的な作業を行うことなく得られるその他の全ての実施例は、いずれも本願発明の保護範囲に含まれる。
【００４４】
本願の実施例に係る発明は、汎欧州デジタル移動電話（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ＬＴＥ周波数分割複信（Ｆｒｅｑｕｅｎｃｙ  Ｄｉｖｉｓｉｏｎ  Ｄｕｐｌｅｘ、略称ＦＤＤ）システム、ＬＴＥ時分割複信（Ｔｉｍｅ  Ｄｉｖｉｓｉｏｎ  Ｄｕｐｌｅｘ、略称ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、またはワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称ＷｉＭＡＸ）通信システムや、これから登場する通信システム等に用いることができる。
【００４５】
本願発明の実施例において、端末機器は、ユーザ機器（Ｕｓｅｒ  Ｅｑｕｉｐｍｅｎｔ、略称ＵＥ）、端末機器、移動局（Ｍｏｂｉｌｅ  Ｓｔａｔｉｏｎ、略称ＭＳ）、移動端末（Ｍｏｂｉｌｅ  Ｔｅｒｍｉｎａｌ）、またはこれから登場する第５世代移動通信（以下、５Ｇと略称する）対応端末機器と呼ぶことができる。当該端末機器は、無線アクセスネットワーク（Ｒａｄｉｏ  Ａｃｃｅｓｓ  Ｎｅｔｗｏｒｋ、略称ＲＡＮ）により１つ以上のコアネットワークと通信を行うことができる。例えば、端末は、携帯電話（またはセルラーホンと呼ぶ）または移動端末を備えるコンピュータ等とすることができ、またはポータブル式、ポケット式、ハンドヘルド式、もしくはコンピュータに内蔵される移動機器、車載移動機器とすることもでき、無線アクセスネットワークと音声および／またはデータを交換する。
【００４６】
本願発明の実施例におけるアクセスネットワーク機器は、移動機器との通信に用いることができる。アクセスネットワーク機器は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）もしくは符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システムにおいて動作する基地局（Ｂａｓｅ  Ｔｒａｎｓｃｅｉｖｅｒ  Ｓｔａｔｉｏｎ、略称ＢＴＳ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システムにおいて動作する基地局（ＮｏｄｅＢ、略称ＮＢ）、ロングタームエボリューション（Ｌｏｎｇ  Ｔｅｒｍ  Ｅｖｏｌｕｔｉｏｎ、略称ＬＴＥ）システムにおいて動作する進化型基地局（Ｅｖｏｌｕｔｉｏｎａｌ  ＮｏｄｅＢ、略称ｅＮＢまたはｅＮｏｄｅＢ）、または中継局やアクセスポイント、車載機器、ウェアラブル端末および５Ｇネットワーク対応のアクセスネットワーク機器等とすることができる。
【００４７】
コアネットワーク機器は、モビリティ管理エンティティ（Ｍｏｂｉｌｉｔｙ  Ｍａｎａｇｅｍｅｎｔ  Ｅｎｔｉｔｙ、略称ＭＭＥ）、サービングゲートウェイ（Ｓｅｒｖｉｎｇ  Ｇａｔｅｗａｙ、略称Ｓ−ＧＷ）、またはパケットデータゲートウェイ（ＰＤＮ  Ｇａｔｅｗａｙ、略称Ｐ−ＧＷ）とすることができ、本願発明はこれについて限定しない。
【００４８】
本願発明の理解を助けるために、実施例の説明を行う前に、以下のいくつかの概念を紹介する。
【００４９】
アイドルモードには、アイドル（Ｉｄｌｅ）状態しかない。Ｉｄｌｅ状態において、ＵＥの全ての接続はアクセス層において遮断される。ＵＴＲＡＮでアイドルモードにおけるＵＥのためにコンテキストを作成しないため、特定のＵＥをアドレッシングしたい場合に、一つのセルにおいて全てのＵＥまたは同一のページング時間帯をモニタリングする複数のＵＥにページングメッセージを送信しなければならない。
【００５０】
接続モードには、ＣＥＬＬ−ＰＣＨ（セルページングチャネル状態）、ＵＲＡ−ＰＣＨ（ＵＴＲＡＮ登録領域ページングチャネル状態）、ＣＥＬＬ−ＦＡＣＨ（セルフォワードアクセスチャネル状態）およびＣＥＬＬ−ＤＣＨ（セル専用チャネル状態）の４つの状態がある。そのうちＣＥＬＬ−ＤＣＨは、上位のシグナリング接続のための接続モードであり、「アクティブ状態」と呼ぶこともできる。
【００５１】
図１は、本願発明における一つの応用場面の概略図である。図１によると、端末機器がアクセスネットワーク機器（Ａｃｃｅｓｓ  Ｎｅｔｗｏｒｋ、略称ＡＮ）２のセル２に滞留し、端末機器がサービス接続要求を開始する時に、ＡＮ２はコアネットワーク機器（Ｃｏｒｅ  Ｎｅｔｗｏｒｋ、略称ＣＮ）と接続を確立する。これと同時に、ＡＮ２は設定されたコンテキスト情報をＣＮに伝送し、ＣＮは記憶された端末機器のアクセス履歴情報に基づき、アクセスネットワーク機器セットを確定し、ＡＮ３がアクセスネットワーク機器セットに属することを確認する場合に、ＣＮはＡＮ３とネットワーク接続を確立し、且つＡＮ３に端末機器のコンテキスト情報を送信し、ＡＮ３は当該コンテキスト情報に基づき、ネットワークと通信を行う。これにより、端末機器はＡＮ３がカバーするセルとＡＮ２がカバーするセルとの間にシームレスに移動することができ、すなわち端末機器がアクセスネットワークセットにおけるアクセスネットワーク機器がカバーする範囲に移動する時に、アクセスネットワーク機器の切り替えを行う必要がなく、すなわちネットワークに報知しない。
【００５２】
なお、本願発明の実施例において、端末機器が当該少なくとも一つのアクセスネットワーク機器セットにおける全てのアクセスネットワーク機器がカバーする範囲内にアクセスネットワーク機器の切り替えを行わずに移動する状態を「非アクティブ状態」と呼ぶことができる。すなわち、端末機器のＲＲＣ接続およびベアラは、当該アクセスネットワーク機器セットにおける全てのアクセスネットワーク機器がカバーする範囲において保留され、端末機器のアクセス層における挙動はコアネットワーク機器に報知されない。
【００５３】
また、本願発明の実施例では、当該非アクティブ状態の名称について限定しない。例えば、アクセスネットワーク機器セットに１つのアクセスネットワーク機器しかない場合に、「アイドル状態」と呼ぶこともできる。
【００５４】
非アクティブ状態にある端末機器の場合に、当該端末機器がデータの伝送を行う必要がある場合に、アクティブ状態に切り替えて、アクティブ状態においてデータを送信することもできるが、または当該非アクティブ状態において利用可能な上りリンク伝送リソースを用いてデータの伝送を行うこともできる。端末機器がデータの伝送を行う時の状態は、端末機器の電力消費およびシステムの性能に影響を与え、不要な状態の切り替えにより、端末機器のシグナリングオーバーヘッドおよび端末機器の電力消費を増加させる恐れがある。
【００５５】
図２は、本実施例による端末機器の状態を確定する方法２００を示すフローチャートである。図２には、端末機器の状態を確定する方法のステップまたは操作が示されるが、これらのステップまたは操作は例示的なものに過ぎず、本実施例では、その他の操作を実行するか、または図２の各操作に変形を加えることもできる。当該方法２００は、端末機器が送信対象データのデータ量を確定するステップＳ２１０と、当該端末機器が当該送信対象データのデータ量に基づき、当該端末機器に必要とされる状態を確定するＳ２２０とを含む。
【００５６】
好ましくは、第１の状態において、当該端末機器が第１のアクセスネットワーク機器と接続することを保持し、当該端末機器および当該第１のアクセスネットワーク機器が当該端末機器のコンテキスト情報を保存し、当該端末機器が当該第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、当該端末機器の属するアクセスネットワーク機器により、当該端末機器がアクセスネットワーク機器の切り替えを行うよう制御する。
【００５７】
なお、本実施例において、第１の状態および第２の状態は、前記「非アクティブ状態」および「アクティブ状態」、またはアイドル状態、データ接続状態およびこれから登場する通信システムにあり得るその他の状態とすることができ、本実施例はこれについて限定しない
【００５８】
具体的には、端末機器が第１のアクセスネットワーク機器にデータを送信する必要がある時に、当該端末機器は送信対象データのデータ量を確定し、当該送信対象データのデータ量に基づき、当該端末機器に必要とされる状態を確定する。
【００５９】
したがって、本実施例は、端末機器が送信対象データのデータ量に基づき、必要とされる状態を確定して、当該端末機器に必要とされる状態においてデータの伝送を行うことにより、不要な切り替えプロセスを避け、シグナリングオーバーヘッドを低減し、端末機器の電力消費を削減して、システムの効率を向上させることができる。
【００６０】
好ましい実施例として、当該送信対象データは、当該端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータである。
【００６１】
具体的には、当該送信対象データが、当該端末機器がキャッシュするデータの一部またはその全てとすることができる。なお、当該端末機器がキャッシュするデータは、各層において存在してもよい。１層目は、基地局とＭＳとの間における伝送および受信のための無線リンクを提供し、物理層とすることができる。２層目は、シグナリングメッセージの正確な伝送および受信を確保し、重複の検出も行われ、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、略称ＰＤＣＰ）層、無線リンク制御（Ｒａｄｉｏ  Ｌｉｎｋ  Ｃｏｎｔｒｏｌ、略称ＲＬＣ）層、メディアアクセス制御（Ｍｅｄｉａ  Ａｃｃｅｓｓ  Ｃｏｎｔｒｏｌ、略称ＭＡＣ）層等とすることができる。３層目は、制御メッセージの伝送を行い、アプリケーション層等とすることができる。本実施例はこれについて限定しない。
【００６２】
また、当該端末機器は、さまざまな方式で当該端末機器に必要とされる状態を確定することができる。好ましくは、当該端末機器が送信対象データのデータ量のみに基づき、当該端末機器に必要とされる状態を確定するか、または当該端末機器が送信対象データのデータ量および利用可能な上りリンク伝送リソースに基づき、当該端末機器に必要とされる状態を確定し、本実施例はこれについて限定しない。
【００６３】
好ましい実施例として、当該端末機器が当該送信対象データのデータ量に基づき、当該端末機器に必要とされる状態を確定する前に、当該方法はさらに、当該端末機器が第１の状態における利用可能な上りリンク伝送リソースを確定するステップを含み、当該端末機器が当該送信対象データのデータ量に基づき、当該端末機器に必要とされる状態を確定する前記ステップは、当該端末機器が当該送信対象データのデータ量および当該利用可能な上りリンク伝送リソースに基づき、当該端末機器に必要とされる状態を確定することを含む。
【００６４】
具体的には、当該端末機器が送信対象データのデータ量および利用可能な上りリンク伝送リソースを確定し、送信対象データのデータ量および当該利用可能な上りリンク伝送リソースを総合的に考慮して、当該端末機器に必要とされる状態を確定する。なお、当該第１の状態は、当該端末機器の現時点の状態とすることができる。
【００６５】
したがって、第１の状態にある端末機器にとって、利用可能な上りリンク伝送リソースが送信対象データを伝送するために十分である場合に、当該端末機器は、第１の状態を引き続き保持することができ、第２の状態にある端末機器にとって、第１の状態における利用可能な上りリンク伝送リソースが送信対象データを伝送するために不十分である場合に、当該端末機器は第２の状態を保持することにより、不要な状態の切り替えを避け、切り替えに伴うシグナリングオーバーヘッドを低減することができる。
【００６６】
なお、当該端末機器はさまざまな方式により、当該送信対象データのデータ量および当該利用可能な上りリンク伝送リソースに基づき、当該端末機器に必要とされる状態を確定することもできる。
【００６７】
好ましい実施例として、当該端末機器が当該送信対象データのデータ量および当該利用可能な上りリンク伝送リソースに基づき、当該端末機器に必要とされる状態を確定するステップは、当該端末機器が当該利用可能な上りリンク伝送リソースに基づき、１回で伝送可能なデータ量を確定することと、当該１回で伝送可能なデータ量が当該送信対象データのデータ量より小さい場合に、当該端末機器は、当該端末機器に当該第２の状態が必要とされることを確定することとを含む。
【００６８】
具体的には、当該端末機器が当該利用可能な上りリンク伝送リソースに基づき、当該端末機器が１回で伝送可能なデータ量を確定し、当該１回で伝送可能なデータ量と送信対象データのデータ量を比較する。当該１回で伝送可能なデータ量が当該送信対象データのデータ量より小さい場合に、当該利用可能な上りリンク伝送リソースは、これらの送信対象データを１回でベアラできないため、当該端末機器は、前記送信対象データの送信を１回で完了するために、第２の状態が必要とされることを確定する。
【００６９】
好ましい実施例として、当該端末機器が当該送信対象データのデータ量および当該利用可能な上りリンク伝送リソースに基づき、当該端末機器に必要とされる状態を確定するステップは、当該端末機器が当該利用可能な上りリンク伝送リソースに基づき、１回で伝送可能なデータ量を確定することと、当該端末機器が当該１回で伝送可能なデータ量に基づき、当該送信対象データのデータ量の送信時間および／または送信回数を確定することと、当該送信時間が第１の閾値より大きく、および／または当該送信回数が第２の閾値より大きい場合に、当該端末機器は、当該端末機器に当該第２の状態が必要とされることを確定することとを含む。
【００７０】
具体的には、当該端末機器が当該利用可能な上りリンク伝送リソースに基づき、当該端末機器が１回で伝送可能なデータ量を確定し、当該端末機器が１回で伝送可能なデータ量および送信対象データのデータ量に基づき、これらの送信対象データの送信を完了するために要する送信時間および／または送信回数を算出し、当該送信時間および／または送信回数と予め設定された閾値を比較し、当該送信時間が第１の閾値より大きく、および／または当該送信回数が第２の閾値より大きい場合に、当該端末機器は、当該第２の状態が必要とされることを確定する。
【００７１】
これにより、端末機器により送信対象データを伝送する送信時間および／または送信回数を算出し、当該送信時間および／または送信回数に基づき、当該端末機器に必要とされる状態を確定することにより、送信対象データのデータ量が非常に大きいか、または利用可能な伝送リソースが非常に少ない場合に、第１の状態における送信時間が非常に長いか、または送信回数が非常に多いことを避けることにより、端末機器の電力消費を削減するとともに、ユーザ体験を向上させることができる。
【００７２】
なお、当該端末機器は送信時間のみを算出し、当該送信時間が第１の閾値より大きい場合に、当該端末機器に第２の状態が必要とされることを確定するか、または当該端末機器は送信回数のみを算出し、当該送信回数が第２の閾値より大きい場合に、当該端末機器に第２の状態が必要とされることを確定するか、または当該端末機器は送信時間および送信回数の両方を算出し、当該送信時間が第１の閾値より大きく且つ当該送信回数が第２の閾値より大きい場合に、当該端末機器に第２の状態が必要とされることを確定することができる。本実施例はこれについて限定しない。
【００７３】
また、当該第１の閾値および当該第２の閾値は、第１のアクセスネットワーク機器が予め当該端末機器に設定することもできるが、プロトコルにおいて取り決めることもでき、本実施例はこれについて限定しない。
【００７４】
好ましい実施例として、当該方法はさらに、当該送信時間が当該第１の閾値以下であり、および／または当該送信回数が当該第２の閾値以下である場合に、当該端末機器が当該第１の状態が必要とされることを確定するステップを含む。
【００７５】
なお、第１の状態において、利用可能な上りリンク伝送リソースを用いて送信する時に、送信対象データの送信時間および／または送信回数が予め設定された閾値より小さい場合に、当該端末機器は、引き続き当該第１の状態にあることを確定し、すなわち当該端末機器は状態の切り替えを行わず、現時点の状態（すなわち第１の状態）において前記利用可能な上りリンク伝送リソースを用いてデータの伝送を行うことができる。
【００７６】
好ましい実施例として、当該端末機器が当該利用可能な上りリンク伝送リソースに基づき、１回で伝送可能なデータ量を確定することは、当該端末機器が当該利用可能な上りリンク伝送リソースおよび利用可能な最大送信出力、現時点の伝送損失、利用可能な最高の符号化変調レベルのうちの少なくとも一つに基づき、当該１回で伝送可能なデータ量を確定することを含む。
【００７７】
好ましい実施例として、当該端末機器が当該第１の状態における利用可能な上りリンク伝送リソースを確定する前に、当該方法はさらに、当該端末機器が、当該第１のアクセスネットワーク機器に当該端末機器に上りリンク伝送リソースを割り当てることを要求するためのリソース要求メッセージを当該第１のアクセスネットワーク機器に送信するステップを含み、当該端末機器が当該第１の状態における利用可能な上りリンク伝送リソースを確定することは、当該端末機器が当該第１のアクセスネットワーク機器による割り当てに基づき、当該利用可能な上りリンク伝送リソースを確定することを含む。
【００７８】
具体的には、第１のアクセスネットワーク機器が当該端末機器のために上りリンク伝送リソースを保留しない場合に、当該端末機器は、当該第１のアクセスネットワーク機器に当該端末機器に上りリンク伝送リソースを割り当てることを要求するためのリソース要求メッセージを当該第１のアクセスネットワーク機器に送信し、当該第１のアクセスネットワーク機器が当該リソース要求メッセージに基づき、当該端末機器に利用可能な上りリンク伝送リソースを割り当てると、当該端末機器は、当該利用可能な上りリンク伝送リソースを利用してデータを伝送することができる。
【００７９】
好ましい実施例として、当該端末機器が当該送信対象データのデータ量に基づき、当該端末機器に必要とされる状態を確定する前記ステップは、当該送信対象データのデータ量が第３の閾値より大きい場合に、当該端末機器は当該端末機器に当該第２の状態が必要とされることを確定することを含む。
【００８０】
具体的には、当該端末機器が当該送信対象データのデータ量と予め設定された第３の閾値を比較し、送信対象データのデータ量が当該第３の閾値より大きい場合に、当該端末機器に第２の状態が必要とされることを確定することにより、前記送信対象データのデータ量でのデータ伝送を完了することを保証する。
【００８１】
好ましい実施例として、当該端末機器が当該端末機器に当該第２の状態が必要とされることを確定することは、第１の時間帯内の各時点での当該送信対象データのデータ量が持続的に当該第３の閾値より大きい場合に、当該端末機器が当該端末機器に当該第２の状態が必要とされることを確定することを含む。
【００８２】
具体的には、当該端末機器が、送信対象データのデータ量が当該第３の閾値を超える時に、タイマを起動して第１の時間帯内の各時点での送信対象データのデータ量を検出し、当該第１の時間帯内の各時点での送信対象データのデータ量が持続的に当該第３の閾値より大きい場合に、当該端末機器が送信対象データのデータ量が非常に大きく、第１の状態において送信すると送信効率が非常に低いことを確定し、当該端末機器に第２の状態が必要とされ、第２の状態においてデータの送信を行うことを確定する。
【００８３】
これにより、端末機器により第１の時間帯内において送信対象データのデータ量を検出し、当該第１の時間帯における送信対象データ量について持続的に判断して、当該端末機器に必要とされる状態を確定することにより、送信対象データのデータ量が安定しないため状態の切り替えを繰り返すことを避け、シグナリングオーバーヘッドを低減することができる。
【００８４】
なお、当該第３の閾値および当該第１の時間帯は、第１のアクセスネットワーク機器が予め当該端末機器に設定することもできるが、プロトコルにおいて取り決めることもでき、本実施例はこれについて限定しない。
【００８５】
好ましい実施例として、当該端末機器が当該送信対象データのデータ量に基づき、当該端末機器に必要とされる状態を確定する前記ステップは、当該送信対象データのデータ量が第４の閾値より小さい場合に、当該端末機器が当該端末機器に当該第１の状態が必要とされることを確定することを含む。
【００８６】
具体的には、当該端末機器が送信対象データのデータ量が第４の閾値より小さい場合に、当該端末機器に第１の状態が必要とされることを確定する。これにより、端末機器が大量のデータを送信しない時に第１の状態にあることを保証し、関連するシグナリングオーバーヘッドを低減することができる。
【００８７】
好ましくは、当該第４の閾値が前記第３の閾値に等しい。
【００８８】
好ましい実施例として、当該端末機器が当該端末機器に当該第１の状態が必要とされることを確定することは、第２の時間帯内の各時点での当該送信対象データのデータ量が持続的に当該第４の閾値より小さい場合に、当該端末機器が当該端末機器に当該第１の状態が必要とされることを確定することを含む。
【００８９】
具体的には、当該端末機器が送信対象データのデータ量が当該第４の閾値を超える時に、タイマを起動して第２の時間帯内の各時点での送信対象データのデータ量を検出し、当該第２の時間帯内の各時点での送信対象データのデータ量が持続的に当該第４の閾値より小さい場合に、当該端末機器が送信対象データのデータ量が非常に小さく、端末機器を第２の状態に保持する必要はないことを確定し、当該端末機器に第１の状態が必要とされることを確定する。
【００９０】
これにより、端末機器により第２の時間帯内に送信対象データのデータ量を検出し、当該第２の時間帯における送信対象データ量について持続的に判断し、当該端末機器に必要とされる状態を確定することにより、送信対象データのデータ量が安定しないため状態の切り替えを繰り返すことを避け、シグナリングオーバーヘッドを低減することができる。
【００９１】
なお、当該第４の閾値および当該第２の時間帯は、第１のアクセスネットワーク機器が予め当該端末機器に設定することもできるが、プロトコルにおいて取り決めることもでき、本実施例はこれについて限定しない。
【００９２】
好ましい実施例として、当該端末機器が当該送信対象データのデータ量に基づき、当該端末機器に必要とされる状態を確定した後に、当該方法はさらに、当該端末機器の現時点の状態が当該端末機器に必要とされる状態と異なる場合に、当該端末機器が状態の切り替えを行うことを確定するステップを含む。
【００９３】
具体的には、当該端末機器が現時点で第１の状態または第２の状態にあり、当該端末機器が送信対象データのデータ量に基づき確定した当該端末機器に必要とされる状態が当該端末機器の現時点の状態と異なる場合に、当該端末機器が状態の切り替えを行い、すなわち現時点の状態から第１の状態または第２の状態に切り替えることを確定する。
【００９４】
好ましい実施例として、当該端末機器が状態の切り替えを行うことを確定した後に、当該方法はさらに、当該端末機器が、当該第１のアクセスネットワーク機器に当該端末機器の当該状態の切り替えに関する設定を行うことを要求する切り替え要求メッセージを当該第１のアクセスネットワーク機器に送信するステップと、当該端末機器が、当該第１のアクセスネットワーク機器が当該切り替え要求メッセージに基づき送信する、当該第１のアクセスネットワーク機器が当該状態の切り替えに関する設定を完了することを表す設定完了メッセージを受信するステップと、当該端末機器が当該設定完了メッセージに基づき、当該状態の切り替えを行うステップとを含む。
【００９５】
具体的には、当該端末機器が状態の切り替えを行うことと確定した後に、第１のアクセスネットワーク機器に切り替え要求メッセージを送信して、第１のアクセスネットワーク機器に状態の切り替えに関する設定を行うことを要求し、当該第１のアクセスネットワーク機器が当該端末機器の状態の切り替えに関する設定を完了した後に、当該端末機器に設定完了メッセージを送信し、当該端末機器が当該第１のアクセスネットワーク機器が送信する設定完了メッセージを受信して状態の切り替えを行い、すなわち第１の状態から第２の状態に切り替えるか、または第２の状態から第１の状態に切り替える。
【００９６】
なお、当該第１のアクセスネットワーク機器が当該端末機器の状態の切り替えに関する設定を行うことは、以下の２つのケースに分類することができる。当該端末機器が第１の状態から第２の状態に切り替えることを要求する場合に、当該第１のアクセスネットワーク機器は、当該端末機器のコンテキスト情報を確定し、且つ当該端末機器と上位のシグナリング接続を確立して関連する測定情報の設定を行うことを確定する。当該端末機器が当該第２の状態から当該第１の状態に切り替えることを要求する場合に、当該第１のアクセスネットワーク機器は第２の状態において当該端末機器に利用可能な上りリンク伝送リソースを設定し且つ当該端末機器に報知し、当該第１のアクセスネットワーク機器は、当該端末機器が当該第１の状態において当該利用可能な上りリンク伝送リソースを用いてデータを伝送するために、当該端末機器の上位のシグナリング接続、ベアラおよび関連するコンテキスト情報を保留する。
【００９７】
好ましい実施例として、当該切り替え要求メッセージに当該送信対象データのデータ量が前記第１の閾値より大きいかもしくは前記第４の閾値より小さいイベントが付随されるか、または当該切り替え要求メッセージに当該送信時間が前記第２の閾値より大きいイベントが付随されるか、または当該切り替え要求メッセージに当該送信回数が前記第３の閾値より大きいイベントが付随される。
【００９８】
また、前記端末機器と第１のアクセスネットワーク機器との間に交換されるメッセージはいずれも無線リソース制御（Ｒａｄｉｏ  Ｒｅｓｏｕｒｃｅ  Ｃｏｎｔｒｏｌ、略称ＲＲＣ）メッセージ、ＭＡＣメッセージ、または物理層メッセージとすることができ、本願発明はこれについて限定しない。
【００９９】
図３は、本実施例による端末機器の状態を確定する装置３００を示すブロック図である。図３によると、装置３００は、確定ユニット３１０を含み、
確定ユニット３１０は、当該端末機器の送信対象データのデータ量を確定し、さらに、当該送信対象データのデータ量に基づき、当該端末機器に必要とされる状態を確定する。
【０１００】
好ましくは、第１の状態において、当該端末機器が第１のアクセスネットワーク機器と接続することを保持し、当該端末機器および当該第１のアクセスネットワーク機器が当該端末機器のコンテキスト情報を保存し、当該端末機器が当該第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、当該端末機器の属するアクセスネットワーク機器により、当該端末機器がアクセスネットワーク機器の切り替えを行うよう制御する。
【０１０１】
したがって、本実施例は、端末機器が送信対象データのデータ量に基づき、必要とされる状態を確定して、当該端末機器に必要とされる状態においてデータの伝送を行うことにより、不要な切り替えプロセスを避け、シグナリングオーバーヘッドを低減し、端末機器の電力消費を削減して、システムの効率を向上させることができる。
【０１０２】
好ましくは、確定ユニット３１０がさらに、当該端末機器が当該送信対象データのデータ量に基づき、当該端末機器に必要とされる状態を確定する前に、第１の状態における利用可能な上りリンク伝送リソースを確定し、当該送信対象データのデータ量および当該利用可能な上りリンク伝送リソースに基づき、当該端末機器に必要とされる状態を確定する。
【０１０３】
好ましくは、確定ユニット３１０がさらに、当該利用可能な上りリンク伝送リソースに基づき、１回で伝送可能なデータ量を確定し、当該１回で伝送可能なデータ量が当該送信対象データのデータ量より小さい場合に、当該端末機器に当該第２の状態が必要とされることを確定する。
【０１０４】
好ましくは、確定ユニット３１０がさらに、当該利用可能な上りリンク伝送リソースに基づき、１回で伝送可能なデータ量を確定し、当該１回で伝送可能なデータ量に基づき、当該送信対象データのデータ量の送信時間および／または送信回数を確定し、当該送信時間が第１の閾値より大きく、および／または当該送信回数が第２の閾値より大きい場合に、当該端末機器に当該第２の状態が必要とされることを確定する。
【０１０５】
好ましくは、確定ユニット３１０がさらに、当該利用可能な上りリンク伝送リソースおよび利用可能な最大送信出力、現時点の伝送損失、利用可能な最高の符号化変調レベルのうちの少なくとも一つに基づき、当該１回で伝送可能なデータ量を確定する。
【０１０６】
好ましくは、当該端末機器がさらに、第１の送信ユニットを含み、
第１の送信ユニットが、当該第１の状態における利用可能な上りリンク伝送リソースを確定する前に、当該第１のアクセスネットワーク機器に当該端末機器に上りリンク伝送リソースを割り当てることを要求するためのリソース要求メッセージを当該第１のアクセスネットワーク機器に送信し、
確定ユニット３１０がさらに、当該第１のアクセスネットワーク機器による割り当てに基づき、当該利用可能な上りリンク伝送リソースを確定する。
【０１０７】
好ましくは、確定ユニット３１０がさらに、当該送信対象データのデータ量が第３の閾値より大きい場合に、当該端末機器に当該第２の状態が必要とされることを確定する。
【０１０８】
好ましくは、確定ユニット３１０がさらに、第１の時間帯内の各時点での当該送信対象データのデータ量が持続的に当該第３の閾値より大きい場合に、当該端末機器に当該第２の状態が必要とされることを確定する。
【０１０９】
好ましくは、確定ユニット３１０がさらに、当該送信対象データのデータ量が第４の閾値より小さい場合に、当該端末機器に当該第１の状態が必要とされることを確定する。
【０１１０】
好ましくは、確定ユニット３１０がさらに、第２の時間帯内の各時点での当該送信対象データのデータ量が持続的に当該第４の閾値より小さい場合に、当該端末機器に当該第１の状態が必要とされることを確定する。
【０１１１】
好ましくは、確定ユニット３１０がさらに、当該端末機器が当該送信対象データのデータ量に基づき、当該端末機器に必要とされる状態を確定した後に、当該端末機器の現時点の状態が当該端末機器に必要とされる状態と異なる場合に、状態の切り替えを行うことを確定する。
【０１１２】
好ましくは、当該端末機器がさらに、第２の送信ユニット、受信ユニットおよび切り替えユニットを含み、
第２の送信ユニットが、当該端末機器が状態の切り替えを行うことを確定した後に、当該第１のアクセスネットワーク機器に当該端末機器の当該状態の切り替えに関する設定を行うことを要求する切り替え要求メッセージを当該第１のアクセスネットワーク機器に送信し、
受信ユニットが、当該第１のアクセスネットワーク機器が当該切り替え要求メッセージに基づき送信する、当該第１のアクセスネットワーク機器が当該状態の切り替えに関する設定を完了することを表す設定完了メッセージを受信し、
切り替えユニットが、当該設定完了メッセージに基づき、当該状態の切り替えを行う。
【０１１３】
好ましくは、当該送信対象データが、当該端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータである。
【０１１４】
なお、本実施例において、装置３００は機能モジュールの形で表現される。本明細書に用いる「ユニット」という用語は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）や電子回路、１つ以上のソフトウェアもしくはファームウェアプログラムを実行するためのプロセッサ（例えば、共有プロセッサ、専有プロセッサもしくはプロセッサグループ等）や、メモリ、組み合わせ論理回路および／または説明される機能をサポートするその他の適切なアセンブリを指すことができる。一つの好ましい実施例において、当業者に自明なように、装置３００は、前記実施例における端末機器に特化することができ、また、前記方法に関する実施例にける端末機器に対応する各プロセスおよび／またはステップを実行するために用いることができる。重複を避けるために、ここにおいて贅言しない。
【０１１５】
図４は、本実施例による端末機器の状態を確定するシステム４００を示すブロック図である。図４によると、通信システム４００は、装置３００と、第１のアクセスネットワーク機器とを含む。
【０１１６】
なお、装置３００は、前記方法に関する実施例における端末機器に対応する各プロセスおよび／またはステップを実行するために用いる。重複を避けるために、ここにおいて贅言しない。一つの好ましい実施例において、当業者に自明なように、装置３００を前記実施例における端末機器に特化することができる。
【０１１７】
図５は、本実施例による端末機器の状態を確定する装置５００を示す。装置５００は、受信機５１０と、プロセッサ５２０と、送信機５３０と、メモリ５４０と、バスシステム５５０とを含む。受信機５１０、プロセッサ５２０、送信機５３０およびメモリ５４０はバスシステム５５０によって接続され、メモリ５４０はコマンドを記憶し、プロセッサ５２０はメモリ５４０に記憶されるコマンドを実行することにより、受信機５１０が信号を受信するよう制御し且つ送信機５３０が信号を送信するよう制御する。
【０１１８】
プロセッサ５２０は、当該端末機器の送信対象データのデータ量を確定し、当該送信対象データのデータ量に基づき、当該端末機器に必要とされる状態を確定する。
【０１１９】
好ましくは、第１の状態において、当該端末機器が第１のアクセスネットワーク機器と接続することを保持し、当該端末機器および当該第１のアクセスネットワーク機器が当該端末機器のコンテキスト情報を保存し、当該端末機器が当該第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、当該端末機器の属するアクセスネットワーク機器により、当該端末機器がアクセスネットワーク機器の切り替えを行うよう制御する。
【０１２０】
したがって、本実施例は、端末機器が送信対象データのデータ量に基づき、必要とされる状態を確定して、当該端末機器に必要とされる状態においてデータの伝送を行うことにより、不要な切り替えプロセスを避け、シグナリングオーバーヘッドを低減し、端末機器の電力消費を削減して、システムの効率を向上させることができる。
【０１２１】
好ましくは、プロセッサ５２０がさらに、当該端末機器が当該送信対象データのデータ量に基づき、当該端末機器に必要とされる状態を確定する前に、第１の状態における利用可能な上りリンク伝送リソースを確定し、当該送信対象データのデータ量および当該利用可能な上りリンク伝送リソースに基づき、当該端末機器に必要とされる状態を確定する。
【０１２２】
好ましくは、プロセッサ５２０がさらに、当該利用可能な上りリンク伝送リソースに基づき、１回で伝送可能なデータ量を確定し、当該１回で伝送可能なデータ量が当該送信対象データのデータ量より小さい場合に、当該端末機器に当該第２の状態が必要とされることを確定する。
【０１２３】
好ましくは、プロセッサ５２０がさらに、当該利用可能な上りリンク伝送リソースに基づき、１回で伝送可能なデータ量を確定し、当該１回で伝送可能なデータ量に基づき、当該送信対象データのデータ量の送信時間および／または送信回数を確定し、当該送信時間が第１の閾値より大きく、および／または当該送信回数が第２の閾値より大きい場合に、当該端末機器に当該第２の状態が必要とされることを確定する。
【０１２４】
好ましくは、プロセッサ５２０がさらに、当該利用可能な上りリンク伝送リソースおよび利用可能な最大送信出力、現時点の伝送損失、利用可能な最高の符号化変調レベルのうちの少なくとも一つに基づき、当該１回で伝送可能なデータ量を確定する。
【０１２５】
好ましくは、送信機５３０がさらに、当該第１の状態における利用可能な上りリンク伝送リソースを確定する前に、当該第１のアクセスネットワーク機器に当該端末機器に上りリンク伝送リソースを割り当てることを要求するためのリソース要求メッセージを当該第１のアクセスネットワーク機器に送信し、
プロセッサ５２０がさらに、当該第１のアクセスネットワーク機器による割り当てに基づき、当該利用可能な上りリンク伝送リソースを確定する。
【０１２６】
好ましくは、プロセッサ５２０がさらに、当該送信対象データのデータ量が第３の閾値より大きい場合に、当該端末機器に当該第２の状態が必要とされることを確定する。
【０１２７】
好ましくは、プロセッサ５２０がさらに、第１の時間帯内の各時点での当該送信対象データのデータ量が持続的に当該第３の閾値より大きい場合に、当該端末機器に当該第２の状態が必要とされることを確定する。
【０１２８】
好ましくは、プロセッサ５２０がさらに、当該送信対象データのデータ量が第４の閾値より小さい場合に、当該端末機器に当該第１の状態が必要とされることを確定する。
【０１２９】
好ましくは、プロセッサ５２０がさらに、第２の時間帯内の各時点での当該送信対象データのデータ量が持続的に当該第４の閾値より小さい場合に、当該端末機器に当該第１の状態が必要とされることを確定する。
【０１３０】
好ましくは、プロセッサ５２０がさらに、当該端末機器が当該送信対象データのデータ量に基づき、当該端末機器に必要とされる状態を確定した後に、当該端末機器の現時点の状態が当該端末機器に必要とされる状態と異なる場合に、状態の切り替えを行うことを確定する。
【０１３１】
好ましくは、送信機５３０がさらに、当該端末機器が状態の切り替えを行うことを確定した後に、当該第１のアクセスネットワーク機器に当該端末機器の当該状態の切り替えに関する設定を行うことを要求する切り替え要求メッセージを当該第１のアクセスネットワーク機器に送信し、
受信機５１０が、該第１のアクセスネットワーク機器が当該切り替え要求メッセージに基づき送信する、当該第１のアクセスネットワーク機器が当該状態の切り替えに関する設定を完了することを表す設定完了メッセージを受信し
プロセッサ５２０が、当該設定完了メッセージに基づき、当該状態の切り替えを行う。
【０１３２】
好ましくは、当該送信対象データが、当該端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータである。
【０１３３】
なお、装置５００を前記実施例における端末機器に特化することができ、且つ前記方法に関する実施例における端末機器に対応する各ステップおよび／またはプロセスを実行するために用いることができる。好ましくは、メモリ５４０がリードオンリーメモリおよびランダムアクセスメモリを含み、且つプロセッサにコマンドおよびデータを提供する。メモリの一部に不揮発性ランダムアクセスメモリが含まれてもよい。例えば、メモリは、機器タイプ情報を記憶することもできる。プロセッサ５２０は、メモリに記憶されるコマンドを実行し、且つ当該プロセッサが当該コマンドを実行する時に、当該プロセッサは、前記方法に関する実施例における端末機器に対応する各ステップを実行することができる。
【０１３４】
なお、本実施例において、プロセッサ５２０は、中央処理装置（Ｃｅｎｔｒａｌ  Ｐｒｏｃｅｓｓｉｎｇ  Ｕｎｉｔ、ＣＰＵ）とすることができ、または汎用プロセッサ、デジタル信号プロセッサ（ＤＳＰ）、特定用途向け集積回路（ＡＳＩＣ）、フィールドプログラマブルゲートアレイ（ＦＰＧＡ）や、その他のプログラマブル論理部品、論理回路もしくはトランジスタ論理部品、ハードウェアとしての論理部品等とすることもできる。そのうち汎用プロセッサは、マイクロプロセッサ、または任意の一般的なプロセッサ等とすることができる。
【０１３５】
本明細書に用いる「および（且つ）／または」という用語は、関連対象の相関関係を説明するものであり、３種類の関係が存在することを表す。例えば、Ａおよび（且つ）／またはＢは、Ａが単独で存在する場合、ＡおよびＢが同時に存在する場合、Ｂが単独で存在する場合を表すことができる。なお、本明細書に用いる「／」という符号は一般的に、それによって繋がる対象が「または」という関係にあることを表す。
【０１３６】
なお、本願発明の各種実施例では、前記各プロセスの番号で実行される順番を示すものではなく、各プロセスが実行される順番は、その機能および内部倫理によって決まり、本実施例を実施するプロセスに対して一切限定を加えるものではない。
【０１３７】
当業者に自明なように、本明細書に開示されている実施例に記載の各例示的なユニットやアルゴリズムおよびステップは、電子ハードウェア、または電子ハードウェアおよびコンピュータソフトウェアの組み合わせにより実施することができる。これらの機能をハードウェアで実行するか、ソフトウェアで実行するかは、該当発明の特定の用途および設計上の制限条件により決まる。当業者であれば、特定の用途ごとに異なる方法を用いて該当機能を実施することができ、このような実施は、本願発明の範囲を逸脱するものではない。
【０１３８】
当業者に自明なように、本項において説明されるシステム、機器およびユニットの具体的な動作プロセスについては、上記方法に関する実施例の対応するプロセスを参照することができるため、説明の都合上、ここにおいて贅言しない。
【０１３９】
なお、本願発明のいくつかの実施例に開示されているシステム、機器および方法は、その他の形態により実施することもできる。例えば、本項において説明される装置に関する実施例は、例示的なものに過ぎない。例えば、上記に記載のとおりユニットを設定しているのは、論理機能上の分割に過ぎず、実施する際に別の形態で分割することもでき、例えば、複数のユニットまたは部品を別のシステムを組み合わせもしくは集積させたり、または一部の特徴を反映させず、実行しなかったりしてもよい。また、本項に記載または説明される直接的な接続または通信接続など部品間の接続は、いくつかのインタフェース、装置またはユニットを用いる間接的接続または通信接続とすることもでき、電気的形態、機械的形態またはその他の形態とすることもできる。
【０１４０】
前記分離される部品として説明されるユニットは、物理的に分離されるものでもよければ、分離されないものであってもよい。ユニットとして示される部品は、物理的なユニットであってもよいが、物理的なユニットでなくてもよい。すなわち、同一の場所に設けられるものであってもよいが、複数のネットワークユニットに配置されるものであってもよい。必要に応じて、一部のユニットだけを用いるか、または全てのユニットを使用して本実施例に係る発明の目的を達成することができる。
【０１４１】
また、本実施例において、各機能ユニットが１つの処理ユニットに集積されてもよいが、各ユニットが単独で物理的な部品として存在するか、または２つ以上のユニットが１つのユニットに集積されてもよい。
【０１４２】
前記機能は、ソフトウェアの機能ユニットの形で実施され、且つ独立する製品として販売または使用する場合に、コンピュータ読み取り可能な記憶媒体に記憶することができる。これにより、本願に係る発明の趣旨、すなわち従来技術に対して貢献する発明または当該発明の一部は、ソフトウェア製品の形で実施ことができる。当該コンピュータソフトウェア製品は、記憶媒体に記憶され、且つ、コンピュータデバイス（パソコン、サーバ、またはネットワーク機器など）に本願発明の各実施例による方法の全てのステップまたはその一部を実行させるためのいくつかのコマンドを含む。前記記憶媒体は、ＵＳＢフラッシュドライブ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたはコンパクトディスクなど、プロクラムコードを記憶可能なさまざまな媒体を含む。
【０１４３】
本明細書に記載される内容は、本願発明の具体的な実施形態に過ぎず、本願発明の保護範囲はこれに限定されない。当業者が本願発明に開示される技術範囲において容易に想到し得る変更や置換などは、いずれも本願発明の保護範囲に含まれる。これにより、本願発明の保護範囲は、特許請求の範囲に記載の内容に準拠する。
【図１】
2019532529.tif 000003
【図２】
2019532529.tif 000004
【図３】
2019532529.tif 000005
【図４】
2019532529.tif 000006
【図５】
2019532529.tif 000007
【手続補正書】
【提出日】平成31年3月8日(2019.3.8)
【手続補正１】
【補正対象書類名】明細書
【補正対象項目名】全文
【補正方法】変更
【補正の内容】
【発明の詳細な説明】
【技術分野】
【０００１】
本願発明は、通信分野に関し、詳しく言えば、端末機器の状態を確定する方法および装置に関する。
【背景技術】
【０００２】
無線通信システムにおいて、端末機器にはアイドルモード（いわゆる待機状態）と接続モードの２つの基本的な動作モードがある。接続モードにおいて、端末機器は、無線リソース制御（Ｒａｄｉｏ  Ｒｅｓｏｕｒｃｅ  Ｃｏｎｔｒｏｌ、略称ＲＲＣ）によって進化型ユニバーサル地上無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、略称ＵＴＲＡＮ）に接続される。
【０００３】
動作モードがアイドルモードである端末機器は、データを受信または送信する必要がある時に、上位のシグナリング接続を確立する接続モードに切り替えてデータの伝送を行う。したがって、端末機器がデータの伝送を行う時の状態は、端末機器の電力消費およびシステムの性能に影響を与え、不要な状態の切り替えにより端末機器のシグナリングオーバーヘッドおよび電力消費を増加させる恐れがある。
【発明の概要】
【発明が解決しようとする課題】
【０００４】
本願発明は、シグナリングオーバーヘッドを低減し、端末機器の電力消費を削減して、システムの効率を向上させるために、端末機器の状態を確定する方法および装置を提供する。
【課題を解決するための手段】
【０００５】
本願発明の第１の態様として、端末機器の状態を確定する方法を提供する。前記方法は、端末機器が送信対象データのデータ量を確定するステップと、当該端末機器が当該送信対象データのデータ量に基づき、当該端末機器に必要とされる状態を確定するステップとを含む。
【０００６】
具体的には、端末機器が第１のアクセスネットワーク機器にデータを送信する必要がある時に、当該端末機器は送信対象データのデータ量を確定し、当該送信対象データのデータ量に基づき、当該端末機器に必要とされる状態を確定する。
【０００７】
したがって、本願発明は、端末機器が送信対象データのデータ量に基づき、必要とされる状態を確定して、当該端末機器に必要とされる状態においてデータの伝送を行うことにより、不要な切り替えプロセスを避け、シグナリングオーバーヘッドを低減し、端末機器の電力消費を削減して、システムの効率を向上させることができる。
【０００８】
好ましくは、第１の状態において、当該端末機器が第１のアクセスネットワーク機器と接続することを保持し、当該端末機器および当該第１のアクセスネットワーク機器が当該端末機器のコンテキスト情報を保存し、当該端末機器が当該第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、当該端末機器の属するアクセスネットワーク機器により、当該端末機器がアクセスネットワーク機器の切り替えを行うよう制御する。
【０００９】
なお、当該第１の状態において、当該端末機器がアクセスネットワーク機器の切り替えを行わないため、当該アクセスネットワーク機器セットにおける全てのアクセスネットワーク機器およびコアネットワーク機器は当該端末機器の移動を検出することができず、すなわち当該端末機器の移動性ネットワーク側を知ることができず、当該第２の状態において、端末機器が１つのセルから別のセルに移動する時に、当該端末機器の属するアクセスネットワーク機器により端末機器がアクセスネットワーク機器の切り替えを行うよう制御することにより、アクセスネットワーク機器は、当該端末機器が異なるアクセスネットワーク機器がカバーする範囲の間に移動することを検出することができる。
【００１０】
また、本願発明において、第１の状態および第２の状態は、「非アクティブ状態」および「アクティブ状態」、またはアイドル状態、データ接続状態およびこれから登場する通信システムにあり得るその他の状態とすることができ、本願発明はこれについて限定しない。
【００１１】
本願発明の第１の態様の第１種の可能な実施形態において、当該端末機器が当該送信対象データのデータ量に基づき、当該端末機器に必要とされる状態を確定する前に、当該方法はさらに、当該端末機器が第１の状態における利用可能な上りリンク伝送リソースを確定するステップを含み、当該端末機器が当該送信対象データのデータ量に基づき、当該端末機器に必要とされる状態を確定する前記ステップは、当該端末機器が当該送信対象データのデータ量および当該利用可能な上りリンク伝送リソースに基づき、当該端末機器に必要とされる状態を確定することを含む。
【００１２】
具体的には、当該端末機器が送信対象データのデータ量および利用可能な上りリンク伝送リソースを確定し、送信対象データのデータ量および当該利用可能な上りリンク伝送リソースを総合的に考慮して、当該端末機器に必要とされる状態を確定する。
【００１３】
したがって、第１の状態にある端末機器にとって、利用可能な上りリンク伝送リソースが送信対象データを伝送するために十分である場合に、当該端末機器は、第１の状態を引き続き保持することができ、第２の状態にある端末機器にとって、第１の状態における利用可能な上りリンク伝送リソースが送信対象データを伝送するために不十分である場合に、当該端末機器は第２の状態を保持することにより、不要な状態の切り替えを避け、切り替えに伴うシグナリングオーバーヘッドを低減することができる。
【００１４】
本願発明の第１の態様における前記可能な実施形態に基づく、第１の態様の第２種の可能な実施形態において、当該端末機器が当該送信対象データのデータ量および当該利用可能な上りリンク伝送リソースに基づき、当該端末機器に必要とされる状態を確定するステップは、当該端末機器が当該利用可能な上りリンク伝送リソースに基づき、１回で伝送可能なデータ量を確定することと、当該１回で伝送可能なデータ量が当該送信対象データのデータ量より小さい場合に、当該端末機器は、当該端末機器に当該第２の状態が必要とされることを確定することとを含む。
【００１５】
具体的には、当該端末機器が当該利用可能な上りリンク伝送リソースに基づき、当該端末機器が１回で伝送可能なデータ量を確定し、当該１回で伝送可能なデータ量と送信対象データのデータ量を比較する。当該１回で伝送可能なデータ量が当該送信対象データのデータ量より小さい場合に、当該利用可能な上りリンク伝送リソースは、これらの送信対象データを１回でベアラできないため、当該端末機器は、前記送信対象データの送信を１回で完了するために、第２の状態が必要とされることを確定する。
【００１６】
本願発明の第１の態様またはその任意の前記可能な実施形態に基づく、第１の態様の第３種の可能な実施形態において、当該端末機器が当該送信対象データのデータ量および当該利用可能な上りリンク伝送リソースに基づき、当該端末機器に必要とされる状態を確定するステップは、当該端末機器が当該利用可能な上りリンク伝送リソースに基づき、１回で伝送可能なデータ量を確定することと、当該端末機器が当該１回で伝送可能なデータ量に基づき、当該送信対象データのデータ量の送信時間および／または送信回数を確定することと、当該送信時間が第１の閾値より大きく、および／または当該送信回数が第２の閾値より大きい場合に、当該端末機器は、当該端末機器に当該第２の状態が必要とされることを確定することとを含む。
【００１７】
これにより、端末機器により送信対象データを伝送する送信時間および／または送信回数を算出し、当該送信時間および／または送信回数に基づき、当該端末機器に必要とされる状態を確定することにより、送信対象データのデータ量が非常に大きいか、または利用可能な伝送リソースが非常に少ない場合に、第１の状態における送信時間が非常に長いか、または送信回数が非常に多いことを避けることにより、端末機器の電力消費を削減するとともに、ユーザ体験を向上させることができる。
【００１８】
好ましくは、当該方法がさらに、当該送信時間が当該第１の閾値以下であり、および／または当該送信回数が当該第２の閾値以下である場合に、当該端末機器が当該第１の状態が必要とされることを確定するステップを含む。
【００１９】
本願発明の第１の態様またはその任意の前記可能な実施形態に基づく、本願発明の第１の態様の第４種の実施形態において、当該端末機器が当該利用可能な上りリンク伝送リソースに基づき、１回で伝送可能なデータ量を確定することは、当該端末機器が当該利用可能な上りリンク伝送リソースおよび利用可能な最大送信出力、現時点の伝送損失、利用可能な最高の符号化変調レベルのうちの少なくとも一つに基づき、当該１回で伝送可能なデータ量を確定することを含む。
【００２０】
本願発明の第１の態様またはその任意の前記可能な実施形態に基づく、本願発明の第１の態様の第５種の実施形態において、当該端末機器が当該第１の状態における利用可能な上りリンク伝送リソースを確定する前に、当該方法はさらに、当該端末機器が、当該第１のアクセスネットワーク機器に当該端末機器に上りリンク伝送リソースを割り当てることを要求するためのリソース要求メッセージを当該第１のアクセスネットワーク機器に送信するステップを含み、当該端末機器が当該第１の状態における利用可能な上りリンク伝送リソースを確定することは、当該端末機器が当該第１のアクセスネットワーク機器による割り当てに基づき、当該利用可能な上りリンク伝送リソースを確定することを含む。
【００２１】
具体的には、第１のアクセスネットワーク機器が第１の状態において当該端末機器のために上りリンク伝送リソースを保留しない場合に、当該端末機器は、当該第１のアクセスネットワーク機器に当該端末機器に上りリンク伝送リソースを割り当てることを要求するためのリソース要求メッセージを当該第１のアクセスネットワーク機器に送信し、当該第１のアクセスネットワーク機器が当該リソース要求メッセージに基づき、当該端末機器に利用可能な上りリンク伝送リソースを割り当てると、当該端末機器は、当該利用可能な上りリンク伝送リソースを利用してデータを伝送することができる。
【００２２】
本願発明の第１の態様またはその任意の前記可能な実施形態に基づく、本願発明の第１の態様の第６種の実施形態において、当該端末機器が当該送信対象データのデータ量に基づき、当該端末機器に必要とされる状態を確定する前記ステップは、当該送信対象データのデータ量が第３の閾値より大きい場合に、当該端末機器は、当該端末機器に当該第２の状態が必要とされることを確定することを含む。
【００２３】
具体的には、当該端末機器が当該送信対象データのデータ量と予め設定された第３の閾値を比較し、送信対象データのデータ量が当該第３の閾値より大きい場合に、当該端末機器に第２の状態が必要とされることを確定することにより、前記送信対象データのデータ量でのデータ伝送を完了することを保証する。
【００２４】
本願発明の第１の態様またはその任意の前記可能な実施形態に基づく、本願発明の第１の態様の第７種の実施形態において、当該端末機器が当該端末機器に当該第２の状態が必要とされることを確定することは、第１の時間帯内の各時点での当該送信対象データのデータ量が持続的に当該第３の閾値より大きい場合に、当該端末機器が当該端末機器に当該第２の状態が必要とされることを確定することを含む。
【００２５】
これにより、端末機器により第１の時間帯内において送信対象データのデータ量を検出し、当該第１の時間帯における送信対象データ量について持続的に判断して、当該端末機器に必要とされる状態を確定することにより、送信対象データのデータ量が安定しないため状態の切り替えを繰り返すことを避け、シグナリングオーバーヘッドを低減することができる。
【００２６】
本願発明の第１の態様またはその任意の前記可能な実施形態に基づく、本願発明の第１の態様の第８種の実施形態において、当該端末機器が当該送信対象データのデータ量に基づき、当該端末機器に必要とされる状態を確定する前記ステップは、当該送信対象データのデータ量が第４の閾値より小さい場合に、当該端末機器が当該端末機器に当該第１の状態が必要とされることを確定することを含む。
【００２７】
具体的には、当該端末機器が送信対象データのデータ量が第４の閾値より小さい場合に、当該端末機器に第１の状態が必要とされることを確定する。これにより、端末機器が大量のデータを送信しない時に第１の状態にあることを保証し、関連するシグナリングオーバーヘッドを低減することができる。
【００２８】
好ましくは、当該第４の閾値が前記第３の閾値に等しい。
【００２９】
本願発明の第１の態様またはその任意の前記可能な実施形態に基づく、本願発明の第１の態様の第９種の実施形態において、当該端末機器が当該端末機器に当該第１の状態が必要とされることを確定することは、第２の時間帯内の各時点での当該送信対象データのデータ量が持続的に当該第４の閾値より小さい場合に、当該端末機器が当該端末機器に当該第１の状態が必要とされることを確定することを含む。
【００３０】
これにより、端末機器により第２の時間帯内に送信対象データのデータ量を検出し、当該第２の時間帯における送信対象データ量について持続的に判断し、当該端末機器に必要とされる状態を確定することにより、送信対象データのデータ量が安定しないため状態の切り替えを繰り返すことを避け、シグナリングオーバーヘッドを低減することができる。
【００３１】
本願発明の第１の態様またはその任意の前記可能な実施形態に基づく、本願発明の第１の態様の第１０種の実施形態において、当該端末機器が当該送信対象データのデータ量に基づき、当該端末機器に必要とされる状態を確定した後に、当該方法はさらに、当該端末機器の現時点の状態が当該端末機器に必要とされる状態と異なる場合に、当該端末機器が状態の切り替えを行うことを確定するステップを含む。
【００３２】
具体的には、当該端末機器が現時点で第１の状態または第２の状態にあり、当該端末機器が送信対象データのデータ量に基づき確定した当該端末機器に必要とされる状態が当該端末機器の現時点の状態と異なる場合に、当該端末機器が状態の切り替えを行い、すなわち現時点の状態から第１の状態または第２の状態に切り替えることを確定する。
【００３３】
本願発明の第１の態様またはその任意の前記可能な実施形態に基づく、本願発明の第１の態様の第１１種の実施形態において、当該端末機器が状態の切り替えを行うことを確定した後に、当該方法はさらに、当該端末機器が、当該第１のアクセスネットワーク機器に当該端末機器の当該状態の切り替えに関する設定を行うことを要求する切り替え要求メッセージを当該第１のアクセスネットワーク機器に送信するステップと、当該端末機器が、当該第１のアクセスネットワーク機器が当該切り替え要求メッセージに基づき送信する、当該第１のアクセスネットワーク機器が当該状態の切り替えに関する設定を完了することを表す設定完了メッセージを受信するステップと、当該端末機器が当該設定完了メッセージに基づき、当該状態の切り替えを行うステップとを含む。
【００３４】
具体的には、当該端末機器が状態の切り替えを行うことと確定した後に、第１のアクセスネットワーク機器に切り替え要求メッセージを送信して、第１のアクセスネットワーク機器に状態の切り替えに関する設定を行うことを要求し、当該第１のアクセスネットワーク機器が当該端末機器の状態の切り替えに関する設定を完了した後に、当該端末機器に設定完了メッセージを送信し、当該端末機器が当該第１のアクセスネットワーク機器が送信する設定完了メッセージを受信して状態の切り替えを行い、すなわち第１の状態から第２の状態に切り替えるか、または第２の状態から第１の状態に切り替える。
【００３５】
好ましくは、当該切り替え要求メッセージに当該送信対象データのデータ量が前記第３の閾値より大きいかもしくは前記第４の閾値より小さいイベントが付随されるか、または当該切り替え要求メッセージに当該送信時間が前記第１の閾値より大きいイベントが付随されるか、または当該切り替え要求メッセージに当該送信回数が前記第２の閾値より大きいイベントが付随される。
【００３６】
本願発明の第１の態様またはその任意の前記可能な実施形態に基づく、本願発明の第１の態様の第１２種の実施形態において、当該送信対象データは、当該端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータである。
【００３７】
なお、前記端末機器と第１のアクセスネットワーク機器との間に交換されるメッセージはいずれも無線リソース制御（Ｒａｄｉｏ  Ｒｅｓｏｕｒｃｅ  Ｃｏｎｔｒｏｌ、略称ＲＲＣ）メッセージ、ＭＡＣメッセージ、または物理層メッセージとすることができ、本願発明はこれについて限定しない。
【００３８】
本願発明の第２の態様として、本願発明の第１の態様またはその任意の可能な前記実施形態による方法を実行するための、端末機器の状態を確定する装置を提供する。具体的には、当該装置が前記第１の態様またはその任意の前記可能な実施形態による方法を実行するためのユニットを含む。
【００３９】
本願発明の第３の態様として、受信機と、送信機と、メモリと、プロセッサと、バスシステムとを含む、端末機器の状態を確定する装置を提供する。当該受信機、当該送信機、当該メモリおよび当該プロセッサは当該バスシステムによって接続され、当該メモリはコマンドを記憶し、当該プロセッサは当該メモリに記憶されるコマンドを実行することにより、受信機が信号を受信するよう制御し且つ送信機が信号を送信するよう制御し、且つ、当該プロセッサが当該メモリに記憶されるコマンドを実行する時に、当該実行により、当該プロセッサは本願発明の第１の態様またはその任意の前記可能な実施形態による方法を実行する。
【００４０】
本願発明の第４の態様として、本願発明の第２の態様もしくはその任意の前記可能な実施形態による装置と、アクセスネットワーク機器とを含むか、または本願発明の第３の態様もしくはその任意の前記可能な実施形態による装置と、アクセスネットワーク機器とを含む、端末機器の状態を確定するシステムを提供する。
【００４１】
本願発明の第５の態様として、本願発明の第１の態様またはその任意の前記可能な実施形態による方法を実行するためのコマンドを含むコンピュータプログラムを記憶するための、コンピュータ読み取り可能な媒体を提供する。
【図面の簡単な説明】
【００４２】
本願の実施例に係る発明を明瞭に説明するために、本項では、実施例または従来技術において用いる図面を簡単に説明する。当然ながら、以下の説明に係る図面は、本願発明の一部の実施例に過ぎず、当業者であれば、創造的な作業を行うことなく、これらの図面からその他の図面を得ることもできる。
【図１】本願発明の実施例における一つの応用場面の概略図である。
【図２】本願発明の実施例による端末機器の状態を確定する方法を示すフローチャートである。
【図３】本願発明の実施例による端末機器の状態を確定する装置を示すブロック図である。
【図４】本願発明の実施例による端末機器の状態を確定するシステムを示すブロック図である。
【図５】本願発明の実施例による端末機器の状態を確定する装置の構造を示す概略図である。
【発明を実施するための形態】
【００４３】
本項では、本願発明の実施例における図面を参照しながら、実施例による発明を明瞭でかつ完全に説明する。当然ながら、説明される実施例は、本願発明の全ての実施例ではなく、その一部に過ぎない。当業者がこれらの実施例に基づき、創造的な作業を行うことなく得られるその他の全ての実施例は、いずれも本願発明の保護範囲に含まれる。
【００４４】
本願の実施例に係る発明は、汎欧州デジタル移動電話（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ＬＴＥ周波数分割複信（Ｆｒｅｑｕｅｎｃｙ  Ｄｉｖｉｓｉｏｎ  Ｄｕｐｌｅｘ、略称ＦＤＤ）システム、ＬＴＥ時分割複信（Ｔｉｍｅ  Ｄｉｖｉｓｉｏｎ  Ｄｕｐｌｅｘ、略称ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、またはワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称ＷｉＭＡＸ）通信システムや、これから登場する通信システム等に用いることができる。
【００４５】
本願発明の実施例において、端末機器は、ユーザ機器（Ｕｓｅｒ  Ｅｑｕｉｐｍｅｎｔ、略称ＵＥ）、端末機器、移動局（Ｍｏｂｉｌｅ  Ｓｔａｔｉｏｎ、略称ＭＳ）、移動端末（Ｍｏｂｉｌｅ  Ｔｅｒｍｉｎａｌ）、またはこれから登場する第５世代移動通信（以下、５Ｇと略称する）対応端末機器と呼ぶことができる。当該端末機器は、無線アクセスネットワーク（Ｒａｄｉｏ  Ａｃｃｅｓｓ  Ｎｅｔｗｏｒｋ、略称ＲＡＮ）により１つ以上のコアネットワークと通信を行うことができる。例えば、端末は、携帯電話（またはセルラーホンと呼ぶ）または移動端末を備えるコンピュータ等とすることができ、またはポータブル式、ポケット式、ハンドヘルド式、もしくはコンピュータに内蔵される移動機器、車載移動機器とすることもでき、無線アクセスネットワークと音声および／またはデータを交換する。
【００４６】
本願発明の実施例におけるアクセスネットワーク機器は、移動機器との通信に用いることができる。アクセスネットワーク機器は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）もしくは符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システムにおいて動作する基地局（Ｂａｓｅ  Ｔｒａｎｓｃｅｉｖｅｒ  Ｓｔａｔｉｏｎ、略称ＢＴＳ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システムにおいて動作する基地局（ＮｏｄｅＢ、略称ＮＢ）、ロングタームエボリューション（Ｌｏｎｇ  Ｔｅｒｍ  Ｅｖｏｌｕｔｉｏｎ、略称ＬＴＥ）システムにおいて動作する進化型基地局（Ｅｖｏｌｕｔｉｏｎａｌ  ＮｏｄｅＢ、略称ｅＮＢまたはｅＮｏｄｅＢ）、または中継局やアクセスポイント、車載機器、ウェアラブル端末および５Ｇネットワーク対応のアクセスネットワーク機器等とすることができる。
【００４７】
コアネットワーク機器は、モビリティ管理エンティティ（Ｍｏｂｉｌｉｔｙ  Ｍａｎａｇｅｍｅｎｔ  Ｅｎｔｉｔｙ、略称ＭＭＥ）、サービングゲートウェイ（Ｓｅｒｖｉｎｇ  Ｇａｔｅｗａｙ、略称Ｓ−ＧＷ）、またはパケットデータゲートウェイ（ＰＤＮ  Ｇａｔｅｗａｙ、略称Ｐ−ＧＷ）とすることができ、本願発明はこれについて限定しない。
【００４８】
本願発明の理解を助けるために、実施例の説明を行う前に、以下のいくつかの概念を紹介する。
【００４９】
アイドルモードには、アイドル（Ｉｄｌｅ）状態しかない。Ｉｄｌｅ状態において、ＵＥの全ての接続はアクセス層において遮断される。ＵＴＲＡＮでアイドルモードにおけるＵＥのためにコンテキストを作成しないため、特定のＵＥをアドレッシングしたい場合に、一つのセルにおいて全てのＵＥまたは同一のページング時間帯をモニタリングする複数のＵＥにページングメッセージを送信しなければならない。
【００５０】
接続モードには、ＣＥＬＬ−ＰＣＨ（セルページングチャネル状態）、ＵＲＡ−ＰＣＨ（ＵＴＲＡＮ登録領域ページングチャネル状態）、ＣＥＬＬ−ＦＡＣＨ（セルフォワードアクセスチャネル状態）およびＣＥＬＬ−ＤＣＨ（セル専用チャネル状態）の４つの状態がある。そのうちＣＥＬＬ−ＤＣＨは、上位のシグナリング接続のための接続モードであり、「アクティブ状態」と呼ぶこともできる。
【００５１】
図１は、本願発明における一つの応用場面の概略図である。図１によると、端末機器がアクセスネットワーク機器（Ａｃｃｅｓｓ  Ｎｅｔｗｏｒｋ、略称ＡＮ）２のセル２に滞留し、端末機器がサービス接続要求を開始する時に、ＡＮ２はコアネットワーク機器（Ｃｏｒｅ  Ｎｅｔｗｏｒｋ、略称ＣＮ）と接続を確立する。これと同時に、ＡＮ２は設定されたコンテキスト情報をＣＮに伝送し、ＣＮは記憶された端末機器のアクセス履歴情報に基づき、アクセスネットワーク機器セットを確定し、ＡＮ３がアクセスネットワーク機器セットに属することを確認する場合に、ＣＮはＡＮ３とネットワーク接続を確立し、且つＡＮ３に端末機器のコンテキスト情報を送信し、ＡＮ３は当該コンテキスト情報に基づき、ネットワークと通信を行う。これにより、端末機器はＡＮ３がカバーするセルとＡＮ２がカバーするセルとの間にシームレスに移動することができ、すなわち端末機器がアクセスネットワーク機器セットにおけるアクセスネットワーク機器がカバーする範囲に移動する時に、アクセスネットワーク機器の切り替えを行う必要がなく、すなわちネットワークに報知しない。
【００５２】
なお、本願発明の実施例において、端末機器が当該少なくとも一つのアクセスネットワーク機器セットにおける全てのアクセスネットワーク機器がカバーする範囲内にアクセスネットワーク機器の切り替えを行わずに移動する状態を「非アクティブ状態」と呼ぶことができる。すなわち、端末機器のＲＲＣ接続およびベアラは、当該アクセスネットワーク機器セットにおける全てのアクセスネットワーク機器がカバーする範囲において保留され、端末機器のアクセス層における挙動はコアネットワーク機器に報知されない。
【００５３】
また、本願発明の実施例では、当該非アクティブ状態の名称について限定しない。例えば、アクセスネットワーク機器セットに１つのアクセスネットワーク機器しかない場合に、「アイドル状態」と呼ぶこともできる。
【００５４】
非アクティブ状態にある端末機器の場合に、当該端末機器がデータの伝送を行う必要がある場合に、アクティブ状態に切り替えて、アクティブ状態においてデータを送信することもできるが、または当該非アクティブ状態において利用可能な上りリンク伝送リソースを用いてデータの伝送を行うこともできる。端末機器がデータの伝送を行う時の状態は、端末機器の電力消費およびシステムの性能に影響を与え、不要な状態の切り替えにより、端末機器のシグナリングオーバーヘッドおよび端末機器の電力消費を増加させる恐れがある。
【００５５】
図２は、本実施例による端末機器の状態を確定する方法２００を示すフローチャートである。図２には、端末機器の状態を確定する方法のステップまたは操作が示されるが、これらのステップまたは操作は例示的なものに過ぎず、本実施例では、その他の操作を実行するか、または図２の各操作に変形を加えることもできる。当該方法２００は、端末機器が送信対象データのデータ量を確定するステップＳ２１０と、当該端末機器が当該送信対象データのデータ量に基づき、当該端末機器に必要とされる状態を確定するＳ２２０とを含む。
【００５６】
好ましくは、第１の状態において、当該端末機器が第１のアクセスネットワーク機器と接続することを保持し、当該端末機器および当該第１のアクセスネットワーク機器が当該端末機器のコンテキスト情報を保存し、当該端末機器が当該第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、当該端末機器の属するアクセスネットワーク機器により、当該端末機器がアクセスネットワーク機器の切り替えを行うよう制御する。
【００５７】
なお、本実施例において、第１の状態および第２の状態は、前記「非アクティブ状態」および「アクティブ状態」、またはアイドル状態、データ接続状態およびこれから登場する通信システムにあり得るその他の状態とすることができ、本実施例はこれについて限定しない
【００５８】
具体的には、端末機器が第１のアクセスネットワーク機器にデータを送信する必要がある時に、当該端末機器は送信対象データのデータ量を確定し、当該送信対象データのデータ量に基づき、当該端末機器に必要とされる状態を確定する。
【００５９】
したがって、本実施例は、端末機器が送信対象データのデータ量に基づき、必要とされる状態を確定して、当該端末機器に必要とされる状態においてデータの伝送を行うことにより、不要な切り替えプロセスを避け、シグナリングオーバーヘッドを低減し、端末機器の電力消費を削減して、システムの効率を向上させることができる。
【００６０】
好ましい実施例として、当該送信対象データは、当該端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータである。
【００６１】
具体的には、当該送信対象データが、当該端末機器がキャッシュするデータの一部またはその全てとすることができる。なお、当該端末機器がキャッシュするデータは、各層において存在してもよい。１層目は、基地局とＭＳとの間における伝送および受信のための無線リンクを提供し、物理層とすることができる。２層目は、シグナリングメッセージの正確な伝送および受信を確保し、重複の検出も行われ、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、略称ＰＤＣＰ）層、無線リンク制御（Ｒａｄｉｏ  Ｌｉｎｋ  Ｃｏｎｔｒｏｌ、略称ＲＬＣ）層、メディアアクセス制御（Ｍｅｄｉａ  Ａｃｃｅｓｓ  Ｃｏｎｔｒｏｌ、略称ＭＡＣ）層等とすることができる。３層目は、制御メッセージの伝送を行い、アプリケーション層等とすることができる。本実施例はこれについて限定しない。
【００６２】
また、当該端末機器は、さまざまな方式で当該端末機器に必要とされる状態を確定することができる。好ましくは、当該端末機器が送信対象データのデータ量のみに基づき、当該端末機器に必要とされる状態を確定するか、または当該端末機器が送信対象データのデータ量および利用可能な上りリンク伝送リソースに基づき、当該端末機器に必要とされる状態を確定し、本実施例はこれについて限定しない。
【００６３】
好ましい実施例として、当該端末機器が当該送信対象データのデータ量に基づき、当該端末機器に必要とされる状態を確定する前に、当該方法はさらに、当該端末機器が第１の状態における利用可能な上りリンク伝送リソースを確定するステップを含み、当該端末機器が当該送信対象データのデータ量に基づき、当該端末機器に必要とされる状態を確定する前記ステップは、当該端末機器が当該送信対象データのデータ量および当該利用可能な上りリンク伝送リソースに基づき、当該端末機器に必要とされる状態を確定することを含む。
【００６４】
具体的には、当該端末機器が送信対象データのデータ量および利用可能な上りリンク伝送リソースを確定し、送信対象データのデータ量および当該利用可能な上りリンク伝送リソースを総合的に考慮して、当該端末機器に必要とされる状態を確定する。なお、当該第１の状態は、当該端末機器の現時点の状態とすることができる。
【００６５】
したがって、第１の状態にある端末機器にとって、利用可能な上りリンク伝送リソースが送信対象データを伝送するために十分である場合に、当該端末機器は、第１の状態を引き続き保持することができ、第２の状態にある端末機器にとって、第１の状態における利用可能な上りリンク伝送リソースが送信対象データを伝送するために不十分である場合に、当該端末機器は第２の状態を保持することにより、不要な状態の切り替えを避け、切り替えに伴うシグナリングオーバーヘッドを低減することができる。
【００６６】
なお、当該端末機器はさまざまな方式により、当該送信対象データのデータ量および当該利用可能な上りリンク伝送リソースに基づき、当該端末機器に必要とされる状態を確定することもできる。
【００６７】
好ましい実施例として、当該端末機器が当該送信対象データのデータ量および当該利用可能な上りリンク伝送リソースに基づき、当該端末機器に必要とされる状態を確定するステップは、当該端末機器が当該利用可能な上りリンク伝送リソースに基づき、１回で伝送可能なデータ量を確定することと、当該１回で伝送可能なデータ量が当該送信対象データのデータ量より小さい場合に、当該端末機器は、当該端末機器に当該第２の状態が必要とされることを確定することとを含む。
【００６８】
具体的には、当該端末機器が当該利用可能な上りリンク伝送リソースに基づき、当該端末機器が１回で伝送可能なデータ量を確定し、当該１回で伝送可能なデータ量と送信対象データのデータ量を比較する。当該１回で伝送可能なデータ量が当該送信対象データのデータ量より小さい場合に、当該利用可能な上りリンク伝送リソースは、これらの送信対象データを１回でベアラできないため、当該端末機器は、前記送信対象データの送信を１回で完了するために、第２の状態が必要とされることを確定する。
【００６９】
好ましい実施例として、当該端末機器が当該送信対象データのデータ量および当該利用可能な上りリンク伝送リソースに基づき、当該端末機器に必要とされる状態を確定するステップは、当該端末機器が当該利用可能な上りリンク伝送リソースに基づき、１回で伝送可能なデータ量を確定することと、当該端末機器が当該１回で伝送可能なデータ量に基づき、当該送信対象データのデータ量の送信時間および／または送信回数を確定することと、当該送信時間が第１の閾値より大きく、および／または当該送信回数が第２の閾値より大きい場合に、当該端末機器は、当該端末機器に当該第２の状態が必要とされることを確定することとを含む。
【００７０】
具体的には、当該端末機器が当該利用可能な上りリンク伝送リソースに基づき、当該端末機器が１回で伝送可能なデータ量を確定し、当該端末機器が１回で伝送可能なデータ量および送信対象データのデータ量に基づき、これらの送信対象データの送信を完了するために要する送信時間および／または送信回数を算出し、当該送信時間および／または送信回数と予め設定された閾値を比較し、当該送信時間が第１の閾値より大きく、および／または当該送信回数が第２の閾値より大きい場合に、当該端末機器は、当該第２の状態が必要とされることを確定する。
【００７１】
これにより、端末機器により送信対象データを伝送する送信時間および／または送信回数を算出し、当該送信時間および／または送信回数に基づき、当該端末機器に必要とされる状態を確定することにより、送信対象データのデータ量が非常に大きいか、または利用可能な伝送リソースが非常に少ない場合に、第１の状態における送信時間が非常に長いか、または送信回数が非常に多いことを避けることにより、端末機器の電力消費を削減するとともに、ユーザ体験を向上させることができる。
【００７２】
なお、当該端末機器は送信時間のみを算出し、当該送信時間が第１の閾値より大きい場合に、当該端末機器に第２の状態が必要とされることを確定するか、または当該端末機器は送信回数のみを算出し、当該送信回数が第２の閾値より大きい場合に、当該端末機器に第２の状態が必要とされることを確定するか、または当該端末機器は送信時間および送信回数の両方を算出し、当該送信時間が第１の閾値より大きく且つ当該送信回数が第２の閾値より大きい場合に、当該端末機器に第２の状態が必要とされることを確定することができる。本実施例はこれについて限定しない。
【００７３】
また、当該第１の閾値および当該第２の閾値は、第１のアクセスネットワーク機器が予め当該端末機器に設定することもできるが、プロトコルにおいて取り決めることもでき、本実施例はこれについて限定しない。
【００７４】
好ましい実施例として、当該方法はさらに、当該送信時間が当該第１の閾値以下であり、および／または当該送信回数が当該第２の閾値以下である場合に、当該端末機器が当該第１の状態が必要とされることを確定するステップを含む。
【００７５】
なお、第１の状態において、利用可能な上りリンク伝送リソースを用いて送信する時に、送信対象データの送信時間および／または送信回数が予め設定された閾値より小さい場合に、当該端末機器は、引き続き当該第１の状態にあることを確定し、すなわち当該端末機器は状態の切り替えを行わず、現時点の状態（すなわち第１の状態）において前記利用可能な上りリンク伝送リソースを用いてデータの伝送を行うことができる。
【００７６】
好ましい実施例として、当該端末機器が当該利用可能な上りリンク伝送リソースに基づき、１回で伝送可能なデータ量を確定することは、当該端末機器が当該利用可能な上りリンク伝送リソースおよび利用可能な最大送信出力、現時点の伝送損失、利用可能な最高の符号化変調レベルのうちの少なくとも一つに基づき、当該１回で伝送可能なデータ量を確定することを含む。
【００７７】
好ましい実施例として、当該端末機器が当該第１の状態における利用可能な上りリンク伝送リソースを確定する前に、当該方法はさらに、当該端末機器が、当該第１のアクセスネットワーク機器に当該端末機器に上りリンク伝送リソースを割り当てることを要求するためのリソース要求メッセージを当該第１のアクセスネットワーク機器に送信するステップを含み、当該端末機器が当該第１の状態における利用可能な上りリンク伝送リソースを確定することは、当該端末機器が当該第１のアクセスネットワーク機器による割り当てに基づき、当該利用可能な上りリンク伝送リソースを確定することを含む。
【００７８】
具体的には、第１のアクセスネットワーク機器が当該端末機器のために上りリンク伝送リソースを保留しない場合に、当該端末機器は、当該第１のアクセスネットワーク機器に当該端末機器に上りリンク伝送リソースを割り当てることを要求するためのリソース要求メッセージを当該第１のアクセスネットワーク機器に送信し、当該第１のアクセスネットワーク機器が当該リソース要求メッセージに基づき、当該端末機器に利用可能な上りリンク伝送リソースを割り当てると、当該端末機器は、当該利用可能な上りリンク伝送リソースを利用してデータを伝送することができる。
【００７９】
好ましい実施例として、当該端末機器が当該送信対象データのデータ量に基づき、当該端末機器に必要とされる状態を確定する前記ステップは、当該送信対象データのデータ量が第３の閾値より大きい場合に、当該端末機器は当該端末機器に当該第２の状態が必要とされることを確定することを含む。
【００８０】
具体的には、当該端末機器が当該送信対象データのデータ量と予め設定された第３の閾値を比較し、送信対象データのデータ量が当該第３の閾値より大きい場合に、当該端末機器に第２の状態が必要とされることを確定することにより、前記送信対象データのデータ量でのデータ伝送を完了することを保証する。
【００８１】
好ましい実施例として、当該端末機器が当該端末機器に当該第２の状態が必要とされることを確定することは、第１の時間帯内の各時点での当該送信対象データのデータ量が持続的に当該第３の閾値より大きい場合に、当該端末機器が当該端末機器に当該第２の状態が必要とされることを確定することを含む。
【００８２】
具体的には、当該端末機器が、送信対象データのデータ量が当該第３の閾値を超える時に、タイマを起動して第１の時間帯内の各時点での送信対象データのデータ量を検出し、当該第１の時間帯内の各時点での送信対象データのデータ量が持続的に当該第３の閾値より大きい場合に、当該端末機器が送信対象データのデータ量が非常に大きく、第１の状態において送信すると送信効率が非常に低いことを確定し、当該端末機器に第２の状態が必要とされ、第２の状態においてデータの送信を行うことを確定する。
【００８３】
これにより、端末機器により第１の時間帯内において送信対象データのデータ量を検出し、当該第１の時間帯における送信対象データ量について持続的に判断して、当該端末機器に必要とされる状態を確定することにより、送信対象データのデータ量が安定しないため状態の切り替えを繰り返すことを避け、シグナリングオーバーヘッドを低減することができる。
【００８４】
なお、当該第３の閾値および当該第１の時間帯は、第１のアクセスネットワーク機器が予め当該端末機器に設定することもできるが、プロトコルにおいて取り決めることもでき、本実施例はこれについて限定しない。
【００８５】
好ましい実施例として、当該端末機器が当該送信対象データのデータ量に基づき、当該端末機器に必要とされる状態を確定する前記ステップは、当該送信対象データのデータ量が第４の閾値より小さい場合に、当該端末機器が当該端末機器に当該第１の状態が必要とされることを確定することを含む。
【００８６】
具体的には、当該端末機器が送信対象データのデータ量が第４の閾値より小さい場合に、当該端末機器に第１の状態が必要とされることを確定する。これにより、端末機器が大量のデータを送信しない時に第１の状態にあることを保証し、関連するシグナリングオーバーヘッドを低減することができる。
【００８７】
好ましくは、当該第４の閾値が前記第３の閾値に等しい。
【００８８】
好ましい実施例として、当該端末機器が当該端末機器に当該第１の状態が必要とされることを確定することは、第２の時間帯内の各時点での当該送信対象データのデータ量が持続的に当該第４の閾値より小さい場合に、当該端末機器が当該端末機器に当該第１の状態が必要とされることを確定することを含む。
【００８９】
具体的には、当該端末機器が送信対象データのデータ量が当該第４の閾値より小さい場合に、タイマを起動して第２の時間帯内の各時点での送信対象データのデータ量を検出し、当該第２の時間帯内の各時点での送信対象データのデータ量が持続的に当該第４の閾値より小さい場合に、当該端末機器が送信対象データのデータ量が非常に小さく、端末機器を第２の状態に保持する必要はないことを確定し、当該端末機器に第１の状態が必要とされることを確定する。
【００９０】
これにより、端末機器により第２の時間帯内に送信対象データのデータ量を検出し、当該第２の時間帯における送信対象データ量について持続的に判断し、当該端末機器に必要とされる状態を確定することにより、送信対象データのデータ量が安定しないため状態の切り替えを繰り返すことを避け、シグナリングオーバーヘッドを低減することができる。
【００９１】
なお、当該第４の閾値および当該第２の時間帯は、第１のアクセスネットワーク機器が予め当該端末機器に設定することもできるが、プロトコルにおいて取り決めることもでき、本実施例はこれについて限定しない。
【００９２】
好ましい実施例として、当該端末機器が当該送信対象データのデータ量に基づき、当該端末機器に必要とされる状態を確定した後に、当該方法はさらに、当該端末機器の現時点の状態が当該端末機器に必要とされる状態と異なる場合に、当該端末機器が状態の切り替えを行うことを確定するステップを含む。
【００９３】
具体的には、当該端末機器が現時点で第１の状態または第２の状態にあり、当該端末機器が送信対象データのデータ量に基づき確定した当該端末機器に必要とされる状態が当該端末機器の現時点の状態と異なる場合に、当該端末機器が状態の切り替えを行い、すなわち現時点の状態から第１の状態または第２の状態に切り替えることを確定する。
【００９４】
好ましい実施例として、当該端末機器が状態の切り替えを行うことを確定した後に、当該方法はさらに、当該端末機器が、当該第１のアクセスネットワーク機器に当該端末機器の当該状態の切り替えに関する設定を行うことを要求する切り替え要求メッセージを当該第１のアクセスネットワーク機器に送信するステップと、当該端末機器が、当該第１のアクセスネットワーク機器が当該切り替え要求メッセージに基づき送信する、当該第１のアクセスネットワーク機器が当該状態の切り替えに関する設定を完了することを表す設定完了メッセージを受信するステップと、当該端末機器が当該設定完了メッセージに基づき、当該状態の切り替えを行うステップとを含む。
【００９５】
具体的には、当該端末機器が状態の切り替えを行うことと確定した後に、第１のアクセスネットワーク機器に切り替え要求メッセージを送信して、第１のアクセスネットワーク機器に状態の切り替えに関する設定を行うことを要求し、当該第１のアクセスネットワーク機器が当該端末機器の状態の切り替えに関する設定を完了した後に、当該端末機器に設定完了メッセージを送信し、当該端末機器が当該第１のアクセスネットワーク機器が送信する設定完了メッセージを受信して状態の切り替えを行い、すなわち第１の状態から第２の状態に切り替えるか、または第２の状態から第１の状態に切り替える。
【００９６】
なお、当該第１のアクセスネットワーク機器が当該端末機器の状態の切り替えに関する設定を行うことは、以下の２つのケースに分類することができる。当該端末機器が第１の状態から第２の状態に切り替えることを要求する場合に、当該第１のアクセスネットワーク機器は、当該端末機器のコンテキスト情報を確定し、且つ当該端末機器と上位のシグナリング接続を確立して関連する測定情報の設定を行うことを確定する。当該端末機器が当該第２の状態から当該第１の状態に切り替えることを要求する場合に、当該第１のアクセスネットワーク機器は第２の状態において当該端末機器に利用可能な上りリンク伝送リソースを設定し且つ当該端末機器に報知し、当該第１のアクセスネットワーク機器は、当該端末機器が当該第１の状態において当該利用可能な上りリンク伝送リソースを用いてデータを伝送するために、当該端末機器の上位のシグナリング接続、ベアラおよび関連するコンテキスト情報を保留する。
【００９７】
好ましい実施例として、当該切り替え要求メッセージに当該送信対象データのデータ量が前記第３の閾値より大きいかもしくは前記第４の閾値より小さいイベントが付随されるか、または当該切り替え要求メッセージに当該送信時間が前記第１の閾値より大きいイベントが付随されるか、または当該切り替え要求メッセージに当該送信回数が前記第２の閾値より大きいイベントが付随される。
【００９８】
また、前記端末機器と第１のアクセスネットワーク機器との間に交換されるメッセージはいずれも無線リソース制御（Ｒａｄｉｏ  Ｒｅｓｏｕｒｃｅ  Ｃｏｎｔｒｏｌ、略称ＲＲＣ）メッセージ、ＭＡＣメッセージ、または物理層メッセージとすることができ、本願発明はこれについて限定しない。
【００９９】
図３は、本実施例による端末機器の状態を確定する装置３００を示すブロック図である。図３によると、装置３００は、確定ユニット３１０を含み、
確定ユニット３１０は、当該端末機器の送信対象データのデータ量を確定し、さらに、当該送信対象データのデータ量に基づき、当該端末機器に必要とされる状態を確定する。
【０１００】
好ましくは、第１の状態において、当該端末機器が第１のアクセスネットワーク機器と接続することを保持し、当該端末機器および当該第１のアクセスネットワーク機器が当該端末機器のコンテキスト情報を保存し、当該端末機器が当該第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、当該端末機器の属するアクセスネットワーク機器により、当該端末機器がアクセスネットワーク機器の切り替えを行うよう制御する。
【０１０１】
したがって、本実施例は、端末機器が送信対象データのデータ量に基づき、必要とされる状態を確定して、当該端末機器に必要とされる状態においてデータの伝送を行うことにより、不要な切り替えプロセスを避け、シグナリングオーバーヘッドを低減し、端末機器の電力消費を削減して、システムの効率を向上させることができる。
【０１０２】
好ましくは、確定ユニット３１０がさらに、当該端末機器が当該送信対象データのデータ量に基づき、当該端末機器に必要とされる状態を確定する前に、第１の状態における利用可能な上りリンク伝送リソースを確定し、当該送信対象データのデータ量および当該利用可能な上りリンク伝送リソースに基づき、当該端末機器に必要とされる状態を確定する。
【０１０３】
好ましくは、確定ユニット３１０がさらに、当該利用可能な上りリンク伝送リソースに基づき、１回で伝送可能なデータ量を確定し、当該１回で伝送可能なデータ量が当該送信対象データのデータ量より小さい場合に、当該端末機器に当該第２の状態が必要とされることを確定する。
【０１０４】
好ましくは、確定ユニット３１０がさらに、当該利用可能な上りリンク伝送リソースに基づき、１回で伝送可能なデータ量を確定し、当該１回で伝送可能なデータ量に基づき、当該送信対象データのデータ量の送信時間および／または送信回数を確定し、当該送信時間が第１の閾値より大きく、および／または当該送信回数が第２の閾値より大きい場合に、当該端末機器に当該第２の状態が必要とされることを確定する。
【０１０５】
好ましくは、確定ユニット３１０がさらに、当該利用可能な上りリンク伝送リソースおよび利用可能な最大送信出力、現時点の伝送損失、利用可能な最高の符号化変調レベルのうちの少なくとも一つに基づき、当該１回で伝送可能なデータ量を確定する。
【０１０６】
好ましくは、当該端末機器がさらに、第１の送信ユニットを含み、
第１の送信ユニットが、当該第１の状態における利用可能な上りリンク伝送リソースを確定する前に、当該第１のアクセスネットワーク機器に当該端末機器に上りリンク伝送リソースを割り当てることを要求するためのリソース要求メッセージを当該第１のアクセスネットワーク機器に送信し、
確定ユニット３１０がさらに、当該第１のアクセスネットワーク機器による割り当てに基づき、当該利用可能な上りリンク伝送リソースを確定する。
【０１０７】
好ましくは、確定ユニット３１０がさらに、当該送信対象データのデータ量が第３の閾値より大きい場合に、当該端末機器に当該第２の状態が必要とされることを確定する。
【０１０８】
好ましくは、確定ユニット３１０がさらに、第１の時間帯内の各時点での当該送信対象データのデータ量が持続的に当該第３の閾値より大きい場合に、当該端末機器に当該第２の状態が必要とされることを確定する。
【０１０９】
好ましくは、確定ユニット３１０がさらに、当該送信対象データのデータ量が第４の閾値より小さい場合に、当該端末機器に当該第１の状態が必要とされることを確定する。
【０１１０】
好ましくは、確定ユニット３１０がさらに、第２の時間帯内の各時点での当該送信対象データのデータ量が持続的に当該第４の閾値より小さい場合に、当該端末機器に当該第１の状態が必要とされることを確定する。
【０１１１】
好ましくは、確定ユニット３１０がさらに、当該端末機器が当該送信対象データのデータ量に基づき、当該端末機器に必要とされる状態を確定した後に、当該端末機器の現時点の状態が当該端末機器に必要とされる状態と異なる場合に、状態の切り替えを行うことを確定する。
【０１１２】
好ましくは、当該端末機器がさらに、第２の送信ユニット、受信ユニットおよび切り替えユニットを含み、
第２の送信ユニットが、当該端末機器が状態の切り替えを行うことを確定した後に、当該第１のアクセスネットワーク機器に当該端末機器の当該状態の切り替えに関する設定を行うことを要求する切り替え要求メッセージを当該第１のアクセスネットワーク機器に送信し、
受信ユニットが、当該第１のアクセスネットワーク機器が当該切り替え要求メッセージに基づき送信する、当該第１のアクセスネットワーク機器が当該状態の切り替えに関する設定を完了することを表す設定完了メッセージを受信し、
切り替えユニットが、当該設定完了メッセージに基づき、当該状態の切り替えを行う。
【０１１３】
好ましくは、当該送信対象データが、当該端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータである。
【０１１４】
なお、本実施例において、装置３００は機能モジュールの形で表現される。本明細書に用いる「ユニット」という用語は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）や電子回路、１つ以上のソフトウェアもしくはファームウェアプログラムを実行するためのプロセッサ（例えば、共有プロセッサ、専有プロセッサもしくはプロセッサグループ等）や、メモリ、組み合わせ論理回路および／または説明される機能をサポートするその他の適切なアセンブリを指すことができる。一つの好ましい実施例において、当業者に自明なように、装置３００は、前記実施例における端末機器に特化することができ、また、前記方法に関する実施例にける端末機器に対応する各プロセスおよび／またはステップを実行するために用いることができる。重複を避けるために、ここにおいて贅言しない。
【０１１５】
図４は、本実施例による端末機器の状態を確定するシステム４００を示すブロック図である。図４によると、通信システム４００は、装置３００と、アクセスネットワーク機器とを含む。
【０１１６】
なお、装置３００は、前記方法に関する実施例における端末機器に対応する各プロセスおよび／またはステップを実行するために用いる。重複を避けるために、ここにおいて贅言しない。一つの好ましい実施例において、当業者に自明なように、装置３００を前記実施例における端末機器に特化することができる。
【０１１７】
図５は、本実施例による端末機器の状態を確定する装置５００を示す。装置５００は、受信機５１０と、プロセッサ５２０と、送信機５３０と、メモリ５４０と、バスシステム５５０とを含む。受信機５１０、プロセッサ５２０、送信機５３０およびメモリ５４０はバスシステム５５０によって接続され、メモリ５４０はコマンドを記憶し、プロセッサ５２０はメモリ５４０に記憶されるコマンドを実行することにより、受信機５１０が信号を受信するよう制御し且つ送信機５３０が信号を送信するよう制御する。
【０１１８】
プロセッサ５２０は、当該端末機器の送信対象データのデータ量を確定し、当該送信対象データのデータ量に基づき、当該端末機器に必要とされる状態を確定する。
【０１１９】
好ましくは、第１の状態において、当該端末機器が第１のアクセスネットワーク機器と接続することを保持し、当該端末機器および当該第１のアクセスネットワーク機器が当該端末機器のコンテキスト情報を保存し、当該端末機器が当該第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、当該端末機器の属するアクセスネットワーク機器により、当該端末機器がアクセスネットワーク機器の切り替えを行うよう制御する。
【０１２０】
したがって、本実施例は、端末機器が送信対象データのデータ量に基づき、必要とされる状態を確定して、当該端末機器に必要とされる状態においてデータの伝送を行うことにより、不要な切り替えプロセスを避け、シグナリングオーバーヘッドを低減し、端末機器の電力消費を削減して、システムの効率を向上させることができる。
【０１２１】
好ましくは、プロセッサ５２０がさらに、当該端末機器が当該送信対象データのデータ量に基づき、当該端末機器に必要とされる状態を確定する前に、第１の状態における利用可能な上りリンク伝送リソースを確定し、当該送信対象データのデータ量および当該利用可能な上りリンク伝送リソースに基づき、当該端末機器に必要とされる状態を確定する。
【０１２２】
好ましくは、プロセッサ５２０がさらに、当該利用可能な上りリンク伝送リソースに基づき、１回で伝送可能なデータ量を確定し、当該１回で伝送可能なデータ量が当該送信対象データのデータ量より小さい場合に、当該端末機器に当該第２の状態が必要とされることを確定する。
【０１２３】
好ましくは、プロセッサ５２０がさらに、当該利用可能な上りリンク伝送リソースに基づき、１回で伝送可能なデータ量を確定し、当該１回で伝送可能なデータ量に基づき、当該送信対象データのデータ量の送信時間および／または送信回数を確定し、当該送信時間が第１の閾値より大きく、および／または当該送信回数が第２の閾値より大きい場合に、当該端末機器に当該第２の状態が必要とされることを確定する。
【０１２４】
好ましくは、プロセッサ５２０がさらに、当該利用可能な上りリンク伝送リソースおよび利用可能な最大送信出力、現時点の伝送損失、利用可能な最高の符号化変調レベルのうちの少なくとも一つに基づき、当該１回で伝送可能なデータ量を確定する。
【０１２５】
好ましくは、送信機５３０がさらに、当該第１の状態における利用可能な上りリンク伝送リソースを確定する前に、当該第１のアクセスネットワーク機器に当該端末機器に上りリンク伝送リソースを割り当てることを要求するためのリソース要求メッセージを当該第１のアクセスネットワーク機器に送信し、
プロセッサ５２０がさらに、当該第１のアクセスネットワーク機器による割り当てに基づき、当該利用可能な上りリンク伝送リソースを確定する。
【０１２６】
好ましくは、プロセッサ５２０がさらに、当該送信対象データのデータ量が第３の閾値より大きい場合に、当該端末機器に当該第２の状態が必要とされることを確定する。
【０１２７】
好ましくは、プロセッサ５２０がさらに、第１の時間帯内の各時点での当該送信対象データのデータ量が持続的に当該第３の閾値より大きい場合に、当該端末機器に当該第２の状態が必要とされることを確定する。
【０１２８】
好ましくは、プロセッサ５２０がさらに、当該送信対象データのデータ量が第４の閾値より小さい場合に、当該端末機器に当該第１の状態が必要とされることを確定する。
【０１２９】
好ましくは、プロセッサ５２０がさらに、第２の時間帯内の各時点での当該送信対象データのデータ量が持続的に当該第４の閾値より小さい場合に、当該端末機器に当該第１の状態が必要とされることを確定する。
【０１３０】
好ましくは、プロセッサ５２０がさらに、当該端末機器が当該送信対象データのデータ量に基づき、当該端末機器に必要とされる状態を確定した後に、当該端末機器の現時点の状態が当該端末機器に必要とされる状態と異なる場合に、状態の切り替えを行うことを確定する。
【０１３１】
好ましくは、送信機５３０がさらに、当該端末機器が状態の切り替えを行うことを確定した後に、当該第１のアクセスネットワーク機器に当該端末機器の当該状態の切り替えに関する設定を行うことを要求する切り替え要求メッセージを当該第１のアクセスネットワーク機器に送信し、
受信機５１０が、該第１のアクセスネットワーク機器が当該切り替え要求メッセージに基づき送信する、当該第１のアクセスネットワーク機器が当該状態の切り替えに関する設定を完了することを表す設定完了メッセージを受信し
プロセッサ５２０が、当該設定完了メッセージに基づき、当該状態の切り替えを行う。
【０１３２】
好ましくは、当該送信対象データが、当該端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータである。
【０１３３】
なお、装置５００を前記実施例における端末機器に特化することができ、且つ前記方法に関する実施例における端末機器に対応する各ステップおよび／またはプロセスを実行するために用いることができる。好ましくは、メモリ５４０がリードオンリーメモリおよびランダムアクセスメモリを含み、且つプロセッサにコマンドおよびデータを提供する。メモリの一部に不揮発性ランダムアクセスメモリが含まれてもよい。例えば、メモリは、機器タイプ情報を記憶することもできる。プロセッサ５２０は、メモリに記憶されるコマンドを実行し、且つ当該プロセッサが当該コマンドを実行する時に、当該プロセッサは、前記方法に関する実施例における端末機器に対応する各ステップを実行することができる。
【０１３４】
なお、本実施例において、プロセッサ５２０は、中央処理装置（Ｃｅｎｔｒａｌ  Ｐｒｏｃｅｓｓｉｎｇ  Ｕｎｉｔ、ＣＰＵ）とすることができ、または汎用プロセッサ、デジタル信号プロセッサ（ＤＳＰ）、特定用途向け集積回路（ＡＳＩＣ）、フィールドプログラマブルゲートアレイ（ＦＰＧＡ）や、その他のプログラマブル論理部品、論理回路もしくはトランジスタ論理部品、ハードウェアとしての論理部品等とすることもできる。そのうち汎用プロセッサは、マイクロプロセッサ、または任意の一般的なプロセッサ等とすることができる。
【０１３５】
本明細書に用いる「および（且つ）／または」という用語は、関連対象の相関関係を説明するものであり、３種類の関係が存在することを表す。例えば、Ａおよび（且つ）／またはＢは、Ａが単独で存在する場合、ＡおよびＢが同時に存在する場合、Ｂが単独で存在する場合を表すことができる。なお、本明細書に用いる「／」という符号は一般的に、それによって繋がる対象が「または」という関係にあることを表す。
【０１３６】
なお、本願発明の各種実施例では、前記各プロセスの番号で実行される順番を示すものではなく、各プロセスが実行される順番は、その機能および内部倫理によって決まり、本実施例を実施するプロセスに対して一切限定を加えるものではない。
【０１３７】
当業者に自明なように、本明細書に開示されている実施例に記載の各例示的なユニットやアルゴリズムおよびステップは、電子ハードウェア、または電子ハードウェアおよびコンピュータソフトウェアの組み合わせにより実施することができる。これらの機能をハードウェアで実行するか、ソフトウェアで実行するかは、該当発明の特定の用途および設計上の制限条件により決まる。当業者であれば、特定の用途ごとに異なる方法を用いて該当機能を実施することができ、このような実施は、本願発明の範囲を逸脱するものではない。
【０１３８】
当業者に自明なように、本項において説明されるシステム、機器およびユニットの具体的な動作プロセスについては、上記方法に関する実施例の対応するプロセスを参照することができるため、説明の都合上、ここにおいて贅言しない。
【０１３９】
なお、本願発明のいくつかの実施例に開示されているシステム、機器および方法は、その他の形態により実施することもできる。例えば、本項において説明される装置に関する実施例は、例示的なものに過ぎない。例えば、上記に記載のとおりユニットを設定しているのは、論理機能上の分割に過ぎず、実施する際に別の形態で分割することもでき、例えば、複数のユニットまたは部品を別のシステムを組み合わせもしくは集積させたり、または一部の特徴を反映させず、実行しなかったりしてもよい。また、本項に記載または説明される直接的な接続または通信接続など部品間の接続は、いくつかのインタフェース、装置またはユニットを用いる間接的接続または通信接続とすることもでき、電気的形態、機械的形態またはその他の形態とすることもできる。
【０１４０】
前記分離される部品として説明されるユニットは、物理的に分離されるものでもよければ、分離されないものであってもよい。ユニットとして示される部品は、物理的なユニットであってもよいが、物理的なユニットでなくてもよい。すなわち、同一の場所に設けられるものであってもよいが、複数のネットワークユニットに配置されるものであってもよい。必要に応じて、一部のユニットだけを用いるか、または全てのユニットを使用して本実施例に係る発明の目的を達成することができる。
【０１４１】
また、本実施例において、各機能ユニットが１つの処理ユニットに集積されてもよいが、各ユニットが単独で物理的な部品として存在するか、または２つ以上のユニットが１つのユニットに集積されてもよい。
【０１４２】
前記機能は、ソフトウェアの機能ユニットの形で実施され、且つ独立する製品として販売または使用する場合に、コンピュータ読み取り可能な記憶媒体に記憶することができる。これにより、本願に係る発明の趣旨、すなわち従来技術に対して貢献する発明または当該発明の一部は、ソフトウェア製品の形で実施ことができる。当該コンピュータソフトウェア製品は、記憶媒体に記憶され、且つ、コンピュータデバイス（パソコン、サーバ、またはネットワーク機器など）に本願発明の各実施例による方法の全てのステップまたはその一部を実行させるためのいくつかのコマンドを含む。前記記憶媒体は、ＵＳＢフラッシュドライブ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたはコンパクトディスクなど、プロクラムコードを記憶可能なさまざまな媒体を含む。
【０１４３】
本明細書に記載される内容は、本願発明の具体的な実施形態に過ぎず、本願発明の保護範囲はこれに限定されない。当業者が本願発明に開示される技術範囲において容易に想到し得る変更や置換などは、いずれも本願発明の保護範囲に含まれる。これにより、本願発明の保護範囲は、特許請求の範囲に記載の内容に準拠する。
【手続補正２】
【補正対象書類名】特許請求の範囲
【補正対象項目名】全文
【補正方法】変更
【補正の内容】
【特許請求の範囲】
【請求項１】
端末機器の状態を確定する方法であって、
端末機器が送信対象データのデータ量を確定するステップと、
前記端末機器が前記送信対象データのデータ量に基づき、前記端末機器に必要とされる状態を確定するステップと
を含むことを特徴とする端末機器の状態を確定する方法。
【請求項２】
第１の状態において、前記端末機器は第１のアクセスネットワーク機器と接続することを保持し、前記端末機器および前記第１のアクセスネットワーク機器は前記端末機器のコンテキスト情報を保存し、前記端末機器は前記第１のアクセスネットワーク機器の属するアクセスネットワーク機器セットにおける全てのアクセスネットワーク機器がカバーする範囲内に移動する時に、アクセスネットワーク機器の切り替えを行わず、セルの再選択プロセスを実行し、第２の状態において、前記端末機器の属するアクセスネットワーク機器により、前記端末機器がアクセスネットワーク機器の切り替えを行うよう制御することを特徴とする請求項１に記載の方法。
【請求項３】
前記端末機器が前記送信対象データのデータ量に基づき、前記端末機器に必要とされる状態を確定する前に、前記方法はさらに、
前記端末機器が第１の状態における利用可能な上りリンク伝送リソースを確定するステップを含み、
前記端末機器が前記送信対象データのデータ量に基づき、前記端末機器に必要とされる状態を確定する前記ステップは、
前記端末機器が前記送信対象データのデータ量および前記利用可能な上りリンク伝送リソースに基づき、前記端末機器に必要とされる状態を確定することを含む、
ことを特徴とする請求項１または請求項２に記載の方法。
【請求項４】
前記端末機器が前記送信対象データのデータ量および前記利用可能な上りリンク伝送リソースに基づき、前記端末機器に必要とされる状態を確定するステップは、
前記端末機器が前記利用可能な上りリンク伝送リソースに基づき、１回で伝送可能なデータ量を確定することと、
前記１回で伝送可能なデータ量が前記送信対象データのデータ量より小さい場合に、前記端末機器は、前記端末機器に前記第２の状態が必要とされることを確定することと、
を含むことを特徴とする請求項３に記載の方法。
【請求項５】
前記端末機器が前記送信対象データのデータ量および前記利用可能な上りリンク伝送リソースに基づき、前記端末機器に必要とされる状態を確定するステップは、
前記端末機器が前記利用可能な上りリンク伝送リソースに基づき、１回で伝送可能なデータ量を確定することと、
前記端末機器が前記１回で伝送可能なデータ量に基づき、前記送信対象データのデータ量の送信時間および／または送信回数を確定することと、
前記送信時間が第１の閾値より大きく、および／または前記送信回数が第２の閾値より大きい場合に、前記端末機器は、前記端末機器に前記第２の状態が必要とされることを確定することと
を含むことを特徴とする請求項３に記載の方法。
【請求項６】
前記端末機器が前記利用可能な上りリンク伝送リソースに基づき、１回で伝送可能なデータ量を確定することは、
前記端末機器が前記利用可能な上りリンク伝送リソースおよび利用可能な最大送信出力、現時点の伝送損失、利用可能な最高の符号化変調レベルのうちの少なくとも一つに基づき、前記１回で伝送可能なデータ量を確定すること、
を含むことを特徴とする請求項４または請求項５に記載の方法。
【請求項７】
前記端末機器が前記第１の状態における利用可能な上りリンク伝送リソースを確定する前に、前記方法はさらに、
前記端末機器が、前記第１のアクセスネットワーク機器に対して前記端末機器に上りリンク伝送リソースを割り当てることを要求するためのリソース要求メッセージを前記第１のアクセスネットワーク機器に送信するステップ
を含み、
前記端末機器が前記第１の状態における利用可能な上りリンク伝送リソースを確定することは、
前記端末機器が前記第１のアクセスネットワーク機器による割り当てに基づき、前記利用可能な上りリンク伝送リソースを確定すること
を含むことを特徴とする請求項３〜６のいずれか１項に記載の方法。
【請求項８】
前記端末機器が前記送信対象データのデータ量に基づき、前記端末機器に必要とされる状態を確定する前記ステップは、
前記送信対象データのデータ量が第３の閾値より大きい場合に、前記端末機器は、前記端末機器に前記第２の状態が必要とされることを確定すること
を含むことを特徴とする請求項１または２に記載の方法。
【請求項９】
前記端末機器が前記端末機器に前記第２の状態が必要とされることを確定することは、
第１の時間帯内の各時点での前記送信対象データのデータ量が持続的に前記第３の閾値より大きい場合に、前記端末機器が前記端末機器に前記第２の状態が必要とされることを確定すること
を含むことを特徴とする請求項８に記載の方法。
【請求項１０】
前記端末機器が前記送信対象データのデータ量に基づき、前記端末機器に必要とされる状態を確定する前記ステップは、
前記送信対象データのデータ量が第４の閾値より小さい場合に、前記端末機器が前記端末機器に前記第１の状態が必要とされることを確定すること
を含むことを特徴とする請求項１または２に記載の方法。
【請求項１１】
前記端末機器が前記端末機器に前記第１の状態が必要とされることを確定することは、
第２の時間帯内の各時点での前記送信対象データのデータ量が持続的に前記第４の閾値より小さい場合に、前記端末機器が前記端末機器に前記第１の状態が必要とされることを確定すること
を含むことを特徴とする請求項１０に記載の方法。
【請求項１２】
前記端末機器が前記送信対象データのデータ量に基づき、前記端末機器に必要とされる状態を確定した後に、前記方法はさらに、
前記端末機器の現時点の状態が前記端末機器に必要とされる状態と異なる場合に、前記端末機器が状態の切り替えを行うことを確定するステップ
を含むことを特徴とする請求項１〜１１のいずれか１項に記載の方法。
【請求項１３】
前記端末機器が状態の切り替えを行うことを確定した後に、前記方法はさらに、
前記端末機器が、前記第１のアクセスネットワーク機器に前記端末機器の前記状態の切り替えに関する設定を行うことを要求する切り替え要求メッセージを前記第１のアクセスネットワーク機器に送信するステップと、
前記端末機器が、前記第１のアクセスネットワーク機器が前記切り替え要求メッセージに基づき送信した、前記第１のアクセスネットワーク機器が前記状態の切り替えに関する設定を完了することを表す設定完了メッセージを受信するステップと、
前記端末機器が前記設定完了メッセージに基づき、前記状態の切り替えを行うステップと
を含むことを特徴とする請求項１２に記載の方法。
【請求項１４】
前記送信対象データは、前記端末機器が物理層、パケットデータコンバージェンスプロトコル（ＰＤＣＰ）層、無線リンク制御（ＲＬＣ）層、メディアアクセス制御（ＭＡＣ）層およびアプリケーション層のうちの少なくとも一つの層にキャッシュするデータであることを特徴とする請求項１〜１３のいずれか１項に記載の方法。
【請求項１５】
端末機器の状態を確定する装置であって、
メモリ、プロセッサ、および前記メモリに格納されて前記プロセッサ上で実行できるコンピュータプログラムを含み、
前記プロセッサは、前記コンピュータプログラムを実行するときに、請求項１〜１４のいずれか１項に記載の方法を実行するように構成されることを特徴とする端末機器の状態を確定する装置。
【国際調査報告】
2019532529.tif 000008
2019532529.tif 000009
2019532529.tif 000010
2019532529.tif 000011